(57)【要約】【課題】  様々な形態のラインを張る為の、支柱や留め具が存在しない競技場（２９）にて、ラインスポーツ用支持台座（１）およびライン支持部延長部材（１７）等を、バレーボール等の柱状体（３１）にてバレーボールやテニスのポール用の差し込み穴を有する床金具（２６）に連結、定置し、ラインスポーツ用支持台座（１）およびライン支持部延長部材（１７）等に様々なラインスポーツ用ラインを接続、支持、張ることでラインスポーツを行うことを可能とする。【解決手段】体育館等で発明の様々なラインを使用したラインスポーツを行う為に、既存のバレーボール等のポール差し込み用埋設金具（２６）を利用し、ラインスポーツ用支持台座（１）および既存のポール（３１）もしくはラインスポーツ専用柱状体（２５）により、様々な位置や高さにラインスポーツ用ラインを張ることが可能になり、ラインスポーツが可能となるラインスポーツ用支持台座である。【選択図】  図１
2020178796.tif 000002
【特許請求の範囲】
【請求項１】
競技場面に埋め込まれた柱状体差し込み穴を有した埋設金具を取り囲む周辺の競技場面を支持台座本体部の接地支持面とし、立体形状の支持台座本体部、前記支持台座本体部の上面と底面にわたり貫通して垂設される柱状体誘導路、及びラインスポーツ用ラインを着脱可能のライン支持部からなるラインスポーツ用支持台座であって、競技場面に埋め込まれた前記埋設金具の柱状体差し込み穴に、前記ラインスポーツ用支持台座を連結可能であり、前記ライン支持部は前記支持台座本体部の接地支持面より上にあり、前記支持台座本体部の有する前記柱状体誘導路と前記埋設金具の柱状体差し込み穴とを、柱状体により挿設することにより、競技場面の前記埋設金具に前記支持台座本体部を定置することが可能であることを特徴とするラインスポーツ用支持台座。  
【請求項２】
支持台座本体部は、柱状体誘導路を形成する柱状体誘導路形成部材と、柱状体誘導路形成部材を支持する基台部材とで形成されることを特徴とする請求項１に記載のラインスポーツ用支持台座。
【請求項３】
支持台座本体部は、柱状体誘導路の垂直断面を境として分割されるように縦分割形成されており、柱状体を受け側支持台座本体部の柱状体誘導路と他方の抑え側支持台座本体部の柱状体誘導路で挟むように取り付け一体化されることを特徴とする請求項１に記載のラインスポーツ用支持台座。
【請求項４】
支持台座本体部は、上面、底面又は側面の少なくともいずれか一方に、機能拡張を目的とした１個又は複数の凹凸部を有することを特徴とする請求項１〜３のいずれか１項に記載のラインスポーツ用支持台座。  
【請求項５】
支持台座本体部の上方に柱状体誘導路延長部材が継合可能の構造であって、
前記柱状体誘導路延長部材は上面から底面に貫通して垂設される第１柱状体誘導路及びライン支持部及び／又は第１共通凹凸部から成る柱状体であり、
前記支持台座本体部の上面と底面にわたり貫通して垂設される柱状体誘導路の上面側の開口部において、
前記開口部と前記柱状体誘導路と同一又はほぼ同一の断面形状及び内径を有する柱状体誘導路延長部材の一方の開口部とを第２凹凸部により取り外し可能に継合させて延長柱状体誘導路を形成し、
更に、前記柱状体誘導路延長部材を繰り返し単位として略垂直上方に継合させて、所望の高さの柱状体誘導路を形成することを可能とし、
かつ、前記柱状体誘導路延長部材の側面にはライン支持部及び／又は第１共通凹凸部を具備させることを可能とすることを特徴とする請求項４に記載のラインスポーツ用支持台座。
【請求項６】
支持台座本体部には第１凹凸部が設けられ、前記第１凹凸部と同一の第１共通凹凸部を有するライン支持部延長部材が第１接続具により、連結、着脱可能となる構造であり、
前記ライン支持部延長部材は立方体型に形成され、上面、底面又は側面の少なくともいずれか一方に一箇所又は複数のライン支持部及び／又は第１共通凹凸部を有し、
前記支持台座本体部の有する前記第１凹凸部に有する凹部と凸部のいずれかに嵌合する凸部と凹部のいずれか他方を備えた前記第１接続具を用いて、
前記支持台座本体部の前記第１凹凸部及び第１共通凹凸部を有する部材に前記ライン支持部延長部材の前記第１共通凹凸部を通じて連結、着脱が可能であり、
前記ライン支持部延長部材の有する前記ライン支持部にも１本又は複数本のラインスポーツ用ラインが着脱及び支持することが可能となることを特徴とする請求項５に記載のラインスポーツ用支持台座
【請求項７】
支持台座本体部は、その底部には板状型の台座となる本体下部板状台座部材が着脱可能の構造であり、
前記本体下部板状台座部材の上面部及び底面部は前記支持台座本体部を定置可能の形状と台座性能を有し、
前記本体下部板状台座は第２柱状体誘導路を有し、
前記第２柱状体誘導路は前記支持台座本体部の有する前記柱状体誘導路直下に同一柱状体にて直結可能になるべく断面形状直径が略同一に形成され、
前記支持台座本体部の底面の前記柱状体誘導路貫通口部の外周には第３凹部が設けられ、前記第３凹部に嵌合する凸部を前記第２柱状体誘導路の上部開口部の外周に設けられた前記本体下部板状台座部材が着脱可能となることを特徴とする請求項５に記載のラインスポーツ用支持台座
【発明の詳細な説明】
【技術分野】
【０００１】
本発明は、ラインスポーツ用ラインを支持するためのラインスポーツ用支持台座に関する。
【背景技術】
【０００２】
ラインスポーツとは、本発明者の考案になる造語であり、１本以上で構成される、ゴム状の柔らかい低引張力ラインや幅２ｃｍ前後の薄いベルト状になったナイロン等の化学繊維のライン、もしくは車の牽引ロープのように引張力の強いラインを対となった２本の垂直に設立された高さ３０ｃｍから２ｍ前後の柱状体のライン固定用具に一本または、幅２０ｃｍ〜１００ｃｍほどの間隔で競技場内全体も使用し、並行または格子状、または垂直状に、複数本からなる様々な形状のラインを張って、その張られたラインで、様々な競技や、トレーニング、レジャースポーツを行う、今までにない新しいスポーツである。高さ３０ｃｍほどで水平に張られた、複数のラインを飛び越えたり、ダンスのようなステップを踏みながらトレーニングするラインダンストレーニング、１ｍほどの高さに並行に張られた複数のラインの下を身体を縮めてくぐり、反対方向に身体を伸ばしながら、左右、前後と身体を移動していく、ラインスクワットトレーニング、高さ２ｍほどの頭上に複数に張られたラインに身体と腕を伸ばしながらジャンプしながらタッチする、タッチライントレーニング。複数のラインを前後左右のはしご状にして床の表面０ｃｍの高さに固定し、その格子状になったスペースを様々なステップを踏むことで、現在様々なスポーツ分野で取り入れられているラダートレーニングより、さらに複雑で、バランス感覚や体幹能力、イメージ能力を鍛えることのできる、スクエアブロックトレーニング他、世界的に大人気となりつつある、幅約２.５〜５ｃｍで、長さ１６ｍ前後の強くテンションの張られた、１０００ｋｇ以上の引張力強度のあるベルト状の平面のラインの上で、飛んだり、宙返りなどの高度な技術を行い、現在では世界大会にも開催されるようになったスラックラインスポーツをも含めた、様々なラインを使用し、様々な組み合わせにより行うことのできるラインスポーツであり、子供から高齢者、そして競技者も安全に楽しめる新しいスポーツであり、トレーニングであり、そしてレクリエーションである。
【０００３】
これらのラインスポーツを、体育館等で行う場合、ラインを支持する用具としての柱状体（ポールともいう）や留め具は、バレーボールやバトミントン、テニスのポールしかなく、高さを変えながらラインを複数本張る留め具も現存しない為、引張力の弱いゴム状のラインもしくは、化学繊維等のベルト状のラインを一本程度であれば使用し張ることはできるが、これらのラインを２本以上、さらに１０本以上を横幅約５０ｃｍの等間隔で水平に張る場合、さらにそれらの高さを自由に変えて張ること自体が、留め具もラインを複数本以上張る為の柱状体、そして柱状体自体にも固定部分がない為、目的とするラインを張ったラインスポーツを行う事はできない。仮に、長さ５ｍ以上の横棒の両端に土台となる足のある、いわゆる平均台のような形状の台座を横に２本置き、そこに等間隔でラインを張る方法が考えられるが、しかし、瞬間的に大きな荷重がかかった場合は、ラインを支持している両端の足が２本だけの台座では反動で台座自体が揺れてしまったり倒れてしまう恐れがあり、大変危険である。さらに、一定の高さでラインを複数張ることは可能であるが、高さを変えることは難しい。さらに引張力が３００ｋｇ以上かかるとされるスラックラインでは、競技に使用される平均台の台でも倒れてしまう恐れがある。
【０００４】
スラックラインに限れば、初心者レベルのプレイでも瞬間的に少なくとも３００ｋｇ、難度の高い技術では１０００ｋｇ以上の荷重が、ラインと柱状体、柱状体を固定する埋設金具にかかるとされる為、この荷重、引っ張りの力に耐えられる柱状体や留め具が必要である。一般財団法人日本スラックライン連盟が推奨する固定方法は、屋外でスラックラインを使用する場合、太さ２５ｃｍ以上の樹木にマットを巻いてスラックラインを支持することとされているが、屋内体育館や競技場には太さ２５ｃｍ以上の樹木はもちろん存在しない。体育館、スポーツグランド広場、遊技場等、いわゆる競技場面で行う場合、ラインを支持する柱状体やライン留め金具は、バレーボール、テニス、さらに径の細いバトミントン等の柱状体しかなく、それらの柱状体は、それぞれのネットを安全に張れ、安全に競技できるだけの想定強度しかない。これらの競技に３００ｋｇを越えるとされる荷重が、張られたネットや柱状体、埋設金具にかかることは想定外だからである。これらのポールをそのままスラックラインの固定用柱状体として使用した場合は、ポール自体が折れたり、曲がったり、抜けてしまう為、多くの体育館では、スラックラインでの使用は禁止されていたり、バレーボール以外の使用自体が禁止されている場合もある。さらに競技用バレーボールポールを埋設金具に差し込み、スラックラインをライン締め具で強力に張っていたら、埋設金具自体が床面から飛び出すように壊れたという事例もある。また、市販の屋内用スラックライン台座も、３〜５ｍ前後と大変大きな台座となり、持ち運びも大変不便である。また、ライン自体の高さも３０ｃｍ程度と、競技レベルも初心者用に限られ、歩く、もしくは小さい上下ジャンプ程度しかできない。本発明者も、最初は体育館で、スラックラインに使用するという名目で貸出が許されていたバレーボールのポールが、曲がる危険があるという理由で、体育館運営側より、バレーボールポールを利用したスラックライントレーニングが３日目で禁止されてしまった経験を持つ。そこでインターネットを通じ、スラックラインを固定した時にバレーボールのポールが折れたり抜けることを防ぐ為のポールを補助、補強する用具、もしくはポールを購入しようと、国内、海外を含め検索したが、上記の持ち運びも不便な初心者用スラックライン専用土台もしくは竹を半分に割ったようなバランス補助用具の代用品以外には何ら情報は得られなかった。
【０００５】
特許文献１には、アルミ合金製の支柱と補強リブを用いて、ネット張力に対抗し、公式競技用として十分に使用できる強度と剛性を有する、持ち運びができる程度の軽さを有し、また、従来使用の差し込み穴をそのまま使用できるバレーボール用支柱が提案されている。しかしながら、このバレーボール用支柱は、希望の位置にラインスポーツ用ラインを固定、支持する部位もなく、また支柱を支える土台となる補強リブ部分はネットの正反対側と規定され、その大きさも厚みを30mm以上50mm以下、支柱本体からの突出幅を20mm以上60mm以下と限られており、少なくとも競技者の体重以上の大きな引張力がかかるラインスポーツには強度不足で適用ができない。特にスラックラインスポーツを行う場合は、初心者レベルでも少なくとも３００ｋｇ以上の引張力に対する抗力が必要とされており、補強リブで補強されていたとしても厚さ５ｍｍから８ｍｍほどのアルミ製の前記バレーボール用支柱では、スラックラインを直接取り付けられた場合、張られたコート内側方向には補強リブが存在しない為、支柱差し込み穴上方から張られたライン方向に曲がる可能性とポールの軽さ故に支柱差し込み穴から、瞬間的な衝撃でポールが抜ける危険性がある。
【先行技術文献】
【特許文献】
【０００６】
【特許文献１】特開平６−７９０２４号公報
【発明の概要】
【発明が解決しようとする課題】
【０００７】
本発明は、通常でも引っ張りに対抗する強度（以降は引張力とする）が３００ｋｇ以上必要とされるスラックライン競技に加え、同じラインスポーツ用支持台座で、ゴム状で伸縮性のある引張力もほとんどない柔らかいラインや薄いベルト状のひもやロープ、アルミやプラスチック製のポール、他光線やセンサーを使用し、一本又は複数本を競技場の両サイドから、高さや位置を様々に変えたり、面もしくは立体的に組み合わせて、ラインを固定し、そのラインを使用して様々なトレーニングや競技を行うという、新たに考案されたラインスポーツであり、このラインスポーツを実施する為には、ラインを張る為の留め具や柱状体が必要となる。そこで、既存の施設に設置された競技用ポールやその差し込み穴となる埋設金具を有効に利用しながら、ラインスポーツが行えるようにする為の新たな器具類であり、屋内である遊技場を含む体育館、スポーツ広場、グランド等で、強度の劣る既存のネットスポーツ用のポール、ポールの差し込み穴を使用し、それらが破損なく安全に、ラインスポーツを子供からさらにバランス感覚が衰えてきている高齢者までも手軽に行え、そしてバランス感覚を鍛えることにより普段の生活において転倒による怪我、骨折も削減可能となるラインスポーツを全世界の方に提供することを目的としている。
【課題を解決するための手段】
【０００８】
請求項１の発明は、競技場面に埋め込まれた柱状体差し込み穴を有した埋設金具を取り囲む周辺の競技場面を支持台座本体部の接地支持面とし、立体形状の支持台座本体部、前記支持台座本体部の上面と底面にわたり貫通して垂設される柱状体誘導路、及びラインスポーツ用ラインを着脱可能のライン支持部からなるラインスポーツ用支持台座であって、競技場面に埋め込まれた前記埋設金具の柱状体差し込み穴に、前記ラインスポーツ用支持台座を連結可能であり、前記ライン支持部は前記支持台座本体部の接地支持面より上にあり、前記支持台座本体部の有する前記柱状体誘導路と前記埋設金具の柱状体差し込み穴とを、柱状体により挿設することにより、競技場面の前記埋設金具に前記支持台座本体部を定置することが可能であることを特徴とするラインスポーツ用支持台座に関するものである。
【０００９】
請求項２の発明は、支持台座本体部は、柱状体誘導路を形成する柱状体誘導路形成部材と、柱状体誘導路形成部材を支持する基台部材とで形成されることを特徴とする請求項１に記載のラインスポーツ用支持台座に関するものである。
【００１０】
請求項３の発明は、支持台座本体部は、柱状体誘導路の垂直断面を境として分割されるように縦分割形成されており柱状体を受け側支持台座本体部の柱状体誘導路と他方の抑え側支持台座本体部の柱状体誘導路で挟むように取り付け一体化されることを特徴とする請求項１に記載のラインスポーツ用支持台座に関するものである。
【００１１】
請求項４の発明は、支持台座本体部は、上面、底面又は側面の少なくともいずれか一方に、機能拡張を目的とした１箇所又は複数箇所の凹凸部を有することを特徴とする請求項１〜３のいずれか１項に記載のラインスポーツ用支持台座に関するものである。
【００１２】
請求項５の発明は、前記支持台座本体部の上面と底面にわたり貫通して垂設される柱状体誘導路の上面側の開口部において、前記開口部と前記柱状体誘導路と同一又はほぼ同一の断面形状及び内径を有する柱状体誘導路延長部材の一方の開口部とを取り外し可能に継合させて延長柱状体誘導路を形成し、更に、前記柱状体誘導路延長部材を繰り返し単位として略垂直上方に継合させて、所望の高さの柱状体誘導路を形成することを可能とし、かつ、前記柱状体誘導路延長部材の側面にはライン支持部及び／又は第１共通凹凸部を具備させることを可能とすることを特徴とする請求項４に記載のラインスポーツ用支持台座に関するものである。
【００１３】
請求項の発明は、前記支持台座本体部には第１凹凸部が設けられ、前記第１凹凸部と同一の第１共通凹凸部を有するライン支持部延長部材が第１接続具により、連結、着脱可能となる構造であり、前記ライン支持部延長部材は立方体型に形成され、上面、底面又は側面の少なくともいずれか一方に一箇所又は複数のライン支持部及び／又は第１共通凹凸部を有し、前記支持台座本体部の有する前記第１凹凸部に有する凹部と凸部のいずれかに嵌合する凸部と凹部のいずれか他方を備えた前記第１接続具を用いて、前記支持台座本体部の前記第１凹凸部及び第１共通凹凸部を有する部材に前記ライン支持部延長部材の前記第１共通凹凸部を通じて連結、着脱が可能であり、前記ライン支持部延長部材の有する前記ライン支持部にも１本又は複数のラインスポーツ用ラインが着脱及び支持することが可能となることを特徴とする請求項５に記載のラインスポーツ用支持台座関するものである。
【００１４】
請求項７の発明は、上方に前記柱状体誘導路延長部材が着脱可能である前記支持台座本体部であって、前記支持台座本体部の底部には板状型の台座となる本体下部板状台座部材が着脱可能の構造であり、記本体下部板状台座部材の上面部及び底面部は前記支持台座本体部を定置可能の形状と台座性能を有し、前記本体下部板状台座は第２柱状体誘導路を有し、前記第２柱状体誘導路は前記支持台座本体部の有する前記柱状体誘導路直下に直結可能になるべく断面形状直径が略同一に形成され、前記支持台座本体部の底面となる前記柱状体誘導路貫通口部の外周には第３凹部が設けられ、前記第３凹部に嵌合する凸部を設けられた前記本体下部板状台座部材を着脱可能であることを特徴とする請求項５に記載のラインスポーツ用支持台座関するものである。
【発明の効果】
【００１５】
本発明によれば、体育館等の屋内スポーツ施設において、ラインスポーツ用支持台座を提供することによりネットスポーツ用のポール、ポール差し込み穴を使用し、これらに破損なく、子供から高齢者、さらに競技者までも、様々なラインを使用したラインスポーツを手軽に安全に行うことが可能となる効果がある。
【図面の簡単な説明】
【００１６】
【図１】ラインスポーツ用支持台座本体部の正面図（ａ）及び上面図（ｂ）
【図２】柱状体誘導路形成部材説明図（ａ）と、柱状体誘導路断面図（ｂ）
【図３】各種ポール説明図（ａ）、各種埋設金具説明図（ｂ）
【図４】嵌入式支持台座本体部と各嵌入式柱状体誘導路形成部材の側面図
【図５】多形型ラインスポーツ用支持台座型（楕円型）の縦分割式支持台座上面図（ａ）及び、縦分割式支持台座本体部側面図（ｂ）
【図６】凹凸部を有した支持台座本体部を埋設金具に設置した正面図（ａ）凹凸部を有した支持台座本体上面図（ｂ）
【図７】平面ライン支持部と平板型ライン支持部延長部材（ａ）、使用例（ｂ）
【図８】柱状体誘導路延長部材説明図（ａ）、連結図（ｂ）
【図９】平板型ライン支持部延長部材とライン支持部延長部材本体用パッキン取付説明図（ａ）嵌入式平板型ライン支持部延長部材と９０ｍｍ雌ネジ付き嵌入式平板型ライン支持部延長部材（ｂ）
【図１０】各種ライン支持部延長部材（ａ）、各種接続具（ｂ）、使用例（ｃ）
【図１１】ライン支持部延長部材用脚とライン支持部延長部材図（ａ）、支持台座本体部へのライン支持部延長部材取付説明図（ｂ）
【図１２】本体下部板状台座部材説明図（ａ）、取り付け図（ｂ）
【図１３】パラレルラインスポーツとラインダンス（ａ）、スクエアブロックトレーニング（ｂ）
【図１４】ウェーブライントレーニング（ａ）、落下防止手摺付きスラックラインスポーツ（ｂ）
【図１５】中級スラックラインスポーツとモンキーズライントレーニン（ａ）、スラックライン用埋設金具使用の上級者対応スラックラインイメージ図（ｂ）
【図１６】柱状体錘台座固定用具との使用形態図
【図１７】中空室ラインスポーツ用支持台座本体部と５０ｍｍ柱状体と５０ｍｍ誘導路内隙間埋め筒状体、４０ｍｍ柱状体と４０ｍｍ誘導路内隙間埋め筒状体の側面図本体下端部環状凸部材７６ｍｍ、５０ｍｍ、４０ｍｍ、強化各サイズ（ａ）、下方嵌入式柱状体側面図各サイズ（ｂ）
【図１８】ライン固定用埋設金具イメージ図
【発明を実施するための形態】
【００１７】
以下、本発明を図面に従って説明する。但し、本発明はこれに限定されるものではない。なお、以下の説明で用いる図面は模式的なものであり、あくまでも長さ、幅、及び厚みの比率等は一例であっ実際のものと同一とは限らず、凹部と凸部および雌ネジと雄ネジの相関関係も適宜変更することができ、凹部と凸部および雌ネジと雄ネジによる嵌合は、ネジ山による嵌合だけではなく粗面による接合や突起物等による嵌合も含まれる。
【００１８】
図１（ａ）はラインスポーツ用支持台座本体部（１）の実施形態を表わす正面図であって、ラインスポーツ用支持台座本体部（１）（以下支持台座本体部と称す）は、立体形状の支持台座本体基台部（２）、該支持台座本体部（１）の上面（６ｂ）から底面（７ｂ）に貫通して垂設される柱状体誘導路（３ａ）、及び接地支持面より上に位置するライン支持部（４、４ａ、４ｃ、４ｄ）からなる台座を有する少なくとも高さ３０ｃｍ以上の支持台座本体部（１）で、鉄、ステンレス、アルミニウム等の金属類もしくは強化合成樹脂又はモルタル等の強固素材で一体形成されており、台座は相当の容量と重量を有する立体からなり、錘としての役割も果たしている。ラインスポーツ用支持台座本体部（１）は、競技場面（２８）、バレーボールコートやテニスコート、バトミントンコート等のスポーツ競技場や遊技場等の屋内の床面、屋外の地面に設置されている、コート対面で使用する２本のスポーツ用の柱状体（３１、３１ａ、３１ｂ）を差し込む為の差し込み穴を有した２つの埋設金具（２６、２６ａ、２６ｂ、）を対とし柱状体（３１、３１ａ、３１ｂ）により挿し込まれることで連結、定置され、これら埋設金具（２６、２６ａ、２６ｂ、）を取り囲む周辺の床を、この２つの支持台座本体部（１）の接地支持面とし、台座となる設置面積も、スラックライン競技時にかかる３００ｋｇ以上の引張力、荷重にも支持可能の台座中もっとも最大応力を有するライン支持部（４）を備えるラインスポーツ用支持台座本体部（１）と考慮すれば、下部の設置面積はあくまでも一例であるが台座面積は１２０平方メートル以上とすることが望ましく、上方向からの荷重が分散され、競技場面への負担を軽減し、支持台座本体部（１）の安定性が高められている。ただし、支持台座本体部（１）の下部には本体下部板状台座部材（２１）が取り付け可能となっている為、下部台座の設置面積も９０平方メートル以下のラインスポーツ用支持台座本体部（１）であっても、本体下部板状台座部材（２１）を使用し設置面積を広げることで安定度を向上することが可能であることを考慮すれば、スラックライン競技を除いたラインスポーツ用の台座であれば、安定したラインスポーツ用支持台座本体部（１）となる。そしてスラックライン競技時には、本体下部板状台座部材（２１）を併用することで、小型のラインスポーツ用支持台座でも問題は解消される。なお、ラインスポーツ用ラインとは、ゴム状の収縮性のある低引張力ライン、収縮性の無いライン、強化ベルト、柱状体、センサー、光線（出力電力最大1 mW以下が目の損傷を防ぐ為望ましい）、手摺状体のポール等、様々な形態のラインを使用するスポーツであり、取っ手型ライン支持部（４ａ）の他後述の接続具（３６）等を使用し、これらのラインを支持可能となっている。なお、ライン支持部（４，４ａ）には、ラインを鉛直方向の変位だけを支持し、リンボーダンスや棒高跳び等で使用可能で回転や水平方向に移動やスライド、脱落が可能な支持となる可動支持部用接続具（３６ｂ、３６ｃ）、ラインを一箇所支持とし大きく回しながら行う縄跳びや重量のあるラインを大きく回すことで行うトレーニングを行うロープゴーンワイルド等にも使用可能なラインを水平方向��鉛直方向の変位を拘束し回転が可能な支持である回転支持部用接続具（３６ａ）、水平・鉛直・回転すべての変位を、強固にラインを結び付けたり、巻き付けることによりラインを固定、支持し、ライン使用時は移動ができない支持で最大応力を有する場所でもあるライン支持部（４）の他、ラインとラインの間に蝶つがいを用いたような回転することが可能となる接続具も考えられる。なお、正面とは、競技場面（２８）の２つの埋設金具（２６）等に２本の柱状体（３１）等により挿設することにより支持台座本体部（１）を定置された時に、支持台座本体部（１）同士が向き合う面が正面となる。また、競技場面（２８）の保護と支持台座本体部（１）の横ずれなどを防ぐ為の本体用クッションシート（１０）を台座底面（７ｂ）に用意することが望ましい。また、支持台座本体部（１）の形状は立方体であって横から見て円錐形、正方形、長方形、多角形、半円形と様々な形状が含まれる。
【００１９】
図１（ａ）に示すように、ライン支持部（４）は支持台座本体部（１）の中で最大応力を有している場所であり、差し込まれた柱状体（３１）ではなく、強度のある材質で一体構成された支持台座本体部（１）に設けられ、支持台座本体基台部（２）の接地面に最も近く、ライン自体を最も安定して固定可能な部分に設けることにより、２つのラインスポーツ用支持台座本体部（１）を両端として張られた、ラインに引かれる力、いわゆる引張力の作用点の重心も低くなり、最大応力ライン支持部（４）もあくまでも一例であるが２５ｍｍ以上の肉厚を有することで、柱状体誘導路形成部材（３）により連結された柱状体（３１）にかかる負担は、大きく削減され、さらに最も荷重に対する抗力が必要となる、スラックライン用でもある幅５ｃｍの巻き付け部分を持つ、最大応力ライン支持部（４）をラインスポーツ用支持台座本体基台部（２）直近上部の柱状体誘導路形成部材外壁（３ｃ）接点から上に、スラックライン（２９）の幅約５ｃｍで巻き込むように設けられていることにより、この２つのラインスポーツ用支持台座本体部（１）を両端として張られた、ラインに引かれる作用点の重心も最もラインスポーツ用支持台座本体基台部（２）に近くなり、そして低くなることで、引張力が３００ｋｇを越えるスラックラインスポーツのような大きな荷重のかかるスラックライン（２９）を固定しても、本体、最大応力ライン支持部（４）が動じることなくなり、柱状体や埋設金具自体の破損を防ぐ効果がある。
【００２０】
図１（ａ）に示すように、取っ手型ライン支持部（４ａ）が設けられている。この取っ手型ライン支持部（４ａ）は、コの字型、Ｕ字型のように両端面が本体部に繋がっており、引張力の弱いゴム状のラインまたは幅２ｃｍ前後のベルト状ラインの支持部となるほか、台座本体部（１）の持ち運びや移動の際の把持部としても使用でき便利である。この取っ手型ライン支持部（４ａ）を利用してポールを固定ベルト（２２）等で結びつけることにより柱状体を固定することもできる。また取っ手型ライン支持部（４ａ）は握り手部分は幅９ｃｍ、奥行きは少なくとも５ｃｍ以上であることが望ましい。この取っ手型ライン支持部（４ａ）のサイズや形状は形成工程等により変更もあり得る。また、図では縦方向に取り付けてあるが略水平、略垂直など取っ手型ライン支持部（４ａ）の角度は変更もある。
【００２１】
図１（ｂ）はラインスポーツ用支持台座本体部（１）の実施形態を表わす上から見た図であって、立体形状の支持台座本体基台部（２）、該支持台座本体部（１）の上面（６ｂ）から底面（７ｂ）に貫通して垂設される円筒状で空洞体の柱状体誘導路（３ａ）が設けられており、この柱状体誘導路の内径は約７９ｍｍ（＋−２ｍｍ）である。
【００２２】
図１（ｂ）は、支持台座本体部（１）の図面の形は上部から見てほぼ円形となっているが、台座の形状は円形に限らず、変円形、方形、多角形、円形の中に面取り、台形等が含まれる。側面からの形状も方形、筒型、台形等様々な形が含まれる。
【００２３】
図２（ａ）は立体的に形成される柱状体誘導路形成部材（３）の説明図である。サイズは一例ではあるが、柱状体誘導路形成部材（３）の外周の直径１３０ｍｍ以上が望ましく、柱状体誘導路（３ａ）、柱状体誘導路上端部（３ｂ）、柱状体誘導路壁部（３ｂ）、柱状体誘導路下端（３ｄ）で構成される。直径７９ｍｍ＋−２ｍｍの柱状体誘導路上端は直径約９０ｍｍ、深さ３０ｍｍの本体上方端面凹凸部雌ネジ（６ａ）の直下に連結して位置する。約２５ｍｍの肉厚のある柱状体誘導路形成部材の柱状体誘導路壁部（３ｂ）全体で差し込まれた柱状体（３１）を支持する。柱状体誘導路下端部（３ｄ）の直下には第３凹凸部である直径１００ｍｍ深さ３０ｍｍの本体下方端面凹凸部雌ネジ（７ａ）が連結して位置する。柱状体誘導路内は全て断面形状が略円形で直径は全て同じであることが望ましい。柱状体誘導路の長さは２５０ｍｍ以上であることが望ましい。
【００２４】
図２（ｂ）は柱状体誘導路（３ｂ）の実施形態を表わす上から見た図であって、
筒状の柱状体誘導路の内径は上面から底面に至るまで、約７９ｍｍ（＋−２ｍｍ）で同一か略同一であることが、ポールの揺れを防ぐことから望ましい。ただし形成工程、使用するラインスポーツ用支柱の形状等で、断面が正円形の円筒の柱状体誘導路（３ａ）の他に変形円をした変形円柱状体誘導路（３ｅ）、正方形や長方形等の多角形の多角柱状体誘導路（３ｆ）やラインを支柱に取り付ける為正円形の一部を面取りした形状の面取り柱状体誘導路（３ｇ）も考えられる。平面部分があることにより、ライン支持部延長部材（１７）等の接続部材が取り付けやすくなる利便性があると同時に、変形円も含め、支柱となる柱状体が横方向に回転しにくくなる利便性もある。また、柱状体誘導路の断面形状にあわせた、強度と肉厚のあるラインスポーツ用柱状体の形成も求められる。
【００２５】
（各種ポール説明）
図３（ａ）は各種柱状体の実施形態を表わす図であって、略世界標準サイズであるバレーボールポールの直径約７６ｍｍの柱状体（３１）とソフトバレー用ポールで使用される直径約５０ｍｍの柱状体（３１ａ）屋外用のつば付きバレーボールポール（３１ｃ）。屋外用のバレーボールポールは、つば（３１ｄ）と呼ばれる約１０ｍｍの突起が接地面に付いており、このつば（３１ｄ）により埋設金具（２６）の差し込み穴底部に雨で水がたまっている場合、先端が雨水に当たらないようになっているが、柱状体を上から差し込むタイプのラインスポーツ用支持台座本体部（１）では、このつば（３１ｄ）により差し込めない。バレーボールやテニスのポール柱状体の標準直径は約７６ｍｍである。バトミントンは直径約４０ｍｍの４０ｍｍ柱状体（３１ｂ）が使用される場合もある。テニスポール（３１ｅ）。ネットを張る為のフック等が上部、底部に付いている。標準直径は約７６ｍｍであるが、フック等が下部まで付いているので、テニス用の床金具が設けられていても、テニスのポール等は支持本体部（１）の柱状体誘導路（３ａ）には差し込めない、または挟み込むことができないため使用できない問題がある。また、既存スポーツ用ポールに対しての問題点として、それぞれの埋設金具に差し込まれている状態で、競技場面より上方４００ｍｍ以下に突起物がある場合、支持台座本体部（１）の柱状体誘導路（３ａ）に差し込めない問題が生じる。その為の対応策として、ラインスポーツ専用柱状体の必要性が生じる。ラインスポーツ専用柱状体（２５）の直径約７６ｍｍ、全長は少なくとも８００ｍｍ以上の突起物が無く、側面に複数の第一共通凹凸部の有するポールで少なくとも１０００ｋｇ以上の引っ張り強度が加わっても曲がることのない強度を有し、差し込み穴からも抜けることもない重量のあるポールが相応しい。なお、ラインスポーツ専用柱状体（２５）の下方先端部分である埋設金具内径約７９ｍｍ（２６）、埋設金具内径約５２ｍｍ（２６ａ）、埋設金具内径約４２ｍｍ（２６ｂ）の差し込み穴に差し込まれる部分が、それぞれの埋設金具（２６，２６ａ、２６ｂ）の差し込み穴の径と深さと略同サイズの先端部（２４ａ，２４ｂ，２４ｃ）として交換可能になれば、ラインスポーツ専用柱状体（２５）１本と交換用柱状体金具挿入先端部の交換部（２４ａ，２４ｂ，２４ｃ）を揃えることにより、様々な競技場でラインスポーツ用台座本体部（１）が使用可能になる便利性がある。
【００２６】
図３（ａ）にはラインスポーツ専用柱状体（２７）の側面図が含まれる、ラインスポーツ専用柱状体（２５）は、少なくとも通常のバレーボールポールの肉厚である５ｍｍ以上、そして少なくとも１０００ｋｇ以上の引張力に対する応力を有し、鉄、ステンレス等の金属類で形成されている中空の円筒柱状体であり、全長は少なくとも約８００ｍｍ以上を有し、ラインスポーツの競技のよっては２０００ｍｍ以上の長さを有したラインスポーツ専用柱状体（２５）が必要となる。支持台座本体部（１）の有する直径約７９ｍｍの柱状体誘導路（３ａ）を貫通可能で略同一の横幅で、直径は基準としているバレーボールポール（３１）と略等しい直径約７６ｍｍのラインスポーツ専用柱状体（２５）である。ラインスポーツ専用柱状体（２５）の側面には正面から後方に向けて略水平に直径約１０ｍｍの共通第１凹部（５ａ）が貫通しており、この共通第１凹部（５ａ）が全てのサイズのラインスポーツ専用柱状体（２５）の上方端面から約５０ｍｍ下の位置から下方端面の上方約５０ｍｍの位置まで５０ｍｍの等間隔で垂直に共通第１凹部（５ａ）が水平に貫通する状態で設けられている。ラインスポーツ専用柱状体（２５）の下方端面の中心部には、金具挿入先端部材用下端雌ネジ（２５ａ）が設けられており、嵌合する雄ネジである金具挿入先端部材上端雄ネジ（２４ｄ）により着脱可能となっている。また、挿入される埋設金具には、柱状体差し込み穴が直径約７９ｍｍで深さ５０ｃｍ、深さ３０ｃｍ、深さ２５ｃｍ。柱状体差し込み穴が直径約５２ｍｍで深さ３０ｃｍ、深さ２５ｃｍ。柱状体差し込み穴が直径約４２ｍｍで深さ３０ｃｍ、深さ２５ｃｍ等、競技やレベルにより様々なサイズの埋設金具（２６，２６ａ、２６ｂ）が存在する。これらの埋設金具の直径、深さに嵌合する着脱可能の柱状体錘金具挿入先端部材（２４ａ、２４ｂ、２４ｃ、２４ｄ）を用意することにより、分割式柱状体錘台座固定用具本体部（２３ｄ）はそのままで、各埋設金具に嵌合する柱状体錘金具挿入先端部材部（２４）を用いることで、様々な埋設金具（２６，２６ａ、２６ｂ）にラインスポーツ用支持台座本体部（１）を設置することが可能となる。上記の形態を有したラインスポーツ専用柱状体（２５）も必要になると思われる。なお、支持台座本体部（１）の有する直径約７９ｍｍの柱状体誘導路（３ａ）の形状が、図２（ｂ）のように変更になった場合、もしくは使用部材を取り付ける為、またはラインスポーツ専用柱状体（２５）の横回転を防ぐ目的でポール形状の変更の必要性が生じた時は、支持台座本体部（１）含め形状変更も有ると考えられる。その形状の柱状体誘導路（３ａ）に貫通可能な形状のラインスポーツ専用柱状体（２５）となる。
【００２７】
図３（ｂ）は各種の埋設金具の実施形態を表わす図であって、ラインスポーツ用支持台座本体部（１）を連結する競技場面（２８）に設置された埋設金具は、ラインスポーツ自体が、現在はまだ、この特許申請の中のスポーツであり、ラインスポーツ用支持台座（１）およびラインスポーツ用ポールが普及していないため、ラインスポーツを普及、実現する為にも、主に現存既存の競技バレーボール、テニス用の７６ｍｍ柱状体埋設金具（２６）、レクリエーションバレーボール用ポール等の５０ｍｍ埋設金具（２６ａ）、バトミントンポール用等４０ｍｍ埋設金具の埋設金具（２６ｂ）等の埋設金具を主として用いているが、今後ラインスポーツ自体が普及し、ラインスポーツ用ポール専用のサイズの異なる埋設金具が新しく生まれた場合でも、当特許申請のラインスポーツ用支持台座（１）のサイズを変えて適用することが可能である。
【００２８】
図４（ａ）は嵌入式ラインスポーツ用支持台座本体部（１ｄ）と嵌入式柱状体誘導路形成部材（１５）の実施形態を表わす側面図であって、支持台座本体部（１）は、円筒状の柱状体誘導路形成部材（３）と台座本体基台部（２）とを、別々の部品として形成された嵌入式ラインスポーツ用支持台座本体部（１ｄ）と７６ｍｍ嵌入式柱状体誘導路形成部材（１５）とが螺合により、一体的に結合されて形成される方法もある。螺合による形成では、台座のポール挿入路の内表面に嵌入式柱状体誘導路形成部材雌ねじ（１６ａ）が設けられ、筒状の柱状体誘導路の外表面に嵌入式柱状体誘導路形成部材雄ねじ（１６）が設けられている。
【００２９】
図４（ｂ）は嵌入式ラインスポーツ用支持台座本体部（１ｄ）と３タイプの嵌入式柱状体誘導路形成部材（１５，１５ａ、１５ｂ）の実施形態を表わす側面図であって、
支持台座本体部（１ｄ）は、柱状体誘導路（３ａ）を形成する嵌入式柱状体誘導路形成部材（１５）と嵌入式柱状体誘導路形成部材（１５）を支持する基台部材（２ｄ）は、それぞれ個別に形成されており、柱状体誘導路形成部材（３）の外径は同一で、柱状体誘導路の内径の異なる柱状体誘導路形成部材（１５，１５ａ、１５ｂ）を備えることで、一つの基台部となる支持基台部材本体に、外部柱状体誘導路の内径を、基準とされる内径約７９ｍｍ前後（＋−２ｍｍ）の７６ｍｍ柱状体誘導路形成部材（１５）の他に、内径５３ｍｍ前後（＋−２ｍｍ）の５０ｍｍ嵌入式柱状体誘導路形成部材（１５ａ）と内径４２ミリ前後（＋−２ｍｍ）の４０ｍｍ誘導路内隙間埋め筒状体（１５ｂ）の柱状体誘導路（３ａ）に形成された嵌入式柱状体誘導路形成部材（１５，１５ａ、１５ｂ）を装着することで、基準とされる直径約７６ｍｍの柱状体（３１）より細い直径５０ｍｍ（３１ａ）や４０ｍｍ（３１ｂ）の柱状体と、それらの柱状体専用の内径５３ｍｍ前後（＋−２ｍｍ）（２６ａ）と、内径４２ミリ前後（＋−２ｍｍ）（２６ｂ）の埋設金具も取付、交換可能になるように考案されており、一つの台座であらゆるサイズのポール（３１，３１ａ、３１ｂ、）、埋設金具（２６，２６ａ、２６ｂ）に対応できる利点がある。
【００３０】
図５（ａ）はスライド縦分割式ラインスポーツ用支持台座本体部（１ｂ）の実施形態を表わす上面図であって、多形型ラインスポーツ用支持台座型（１ａ）（楕円型）のスライド分割式ラインスポーツ用支持台座本体部（１ｂ）の上面図である。柱状体誘導路（３ａ）が柱状体誘導路（３ａ）の中心点を境に垂直断面に沿って縦分割されるように縦分割形成され別々の部品として形成された柱状体誘導路形成部材と柱状体誘導路形成部材を支持する基台部材には、分割式支持台座本体受け部（８）と分割式支持台座本体抑え部（９）に分かれている。該受け部と該抑え部にはそれぞれ、上端の挿入口、壁部、下端、台座があり、柱状体側方から支持台座本体部を挟み込み、そこに分割された片方の支持台座で柱状体を挟むように取り付け一体化し、これらでラインスポーツ用柱状体（３１）を挟み込むように螺合、固定することが出来る。ただし図面では分割は２つとなっているが、縦に３分割以上のスライド縦分割式ラインスポーツ用支持台座本体部（１ｂ）も考えられる。
【００３１】
図５（ｂ）は２つに縦分割されたスライド分割式ラインスポーツ用支持台座本体部（１ｂ）に請求項４の台座本体部の上面、底面又は側面の少なくともいずれか一方に一箇所又は複数箇所の凹凸部が含まれた場合の実施形態を表わす側面図であって、別々の部として縦分割形成された柱状体誘導路とポール挿入路には、分割式柱状体誘導路受け部（８）と分割式柱状体誘導路抑え部（９）に分かれている。該受け部と該抑え部にはそれぞれ、上端、壁部、下端、台座があり、これらでラインスポーツ用柱状体を挟み込むように固定することが出来る。分割式支持台座本体受け部（８）側では、スライド式柱状体誘導路受け部上端（８ａ）、分割式柱状体誘導路受け部壁部（８ｂ）、分割式柱状体誘導路受け部下端（８ｃ）、分割式柱状体誘導路受け部側台座（８ｄ）、分割式上端部柱状体９０ｍｍ挿入口受け部側凹溝（８ｅ）、分割式下端部柱状体１００ｍｍ貫通口受け部側凹溝（８ｆ）、分割式上端部柱状体９０ｍｍ挿入口受け部側（８ｇ）、分割式下端部柱状体１００ｍｍ貫通口受け部側（８ｈ）で構成される。分割式支持台座本体抑え部（９）では、分割式柱状体誘導路抑え部上端（９ａ）、分割式柱状体誘導路抑え部壁部（９ｂ）、分割式柱状体誘導路抑え部下端（９）、分割式柱状体誘導路抑え部側台座（９ｄ）、分割式上端部柱状体９０ｍｍ挿入口抑え部側凹溝（９ｅ）、  分割式上端部柱状体９０ｍｍ挿入口抑え部側凹溝（９ｆ）、分割式上端部柱状体９０ｍｍ挿入口抑え部側（９ｇ）、分割式上端部柱状体９０ｍｍ挿入口抑え部側（９ｈ）で構成され設けられている共通第１凹部（５ａ）に共通第１凸部（５）、他固定ベルト（２２）等で合体、接合する。分割式柱状体誘導路受け部（８）と分割式柱状体誘導路抑え部（９）ともに下部には約１０ｍｍの本体クッションシート（１０）が備え付けられる。屋外用のバレーボールポール（３１ｃ）等、つば（３１ｄ）付属の柱状体等も使用可能となる。またこのスライド分割式ラインスポーツ用支持台座本体部（１ｂ）は正面と後方から挟みこむようにスライドする形態であるが、スライド分割式ラインスポーツ用支持台座本体部（１ｂ）は横方向から、いわゆる左右もしくは角度を変えて斜め、あらゆる方向からスライドし挟み込む形態も考えられる。
【００３２】
図６（ａ）は請求項４の実施形態を表わす図であって、支持台座本体部（１）の正面には先端部から２５ｍｍの位置を中心点として５０ｍｍ間隔で略垂直下に向けて直径１０ｍｍの共通第１凹凸部（５ａ）、上面の柱状体誘導路（３ａ）を囲む形で略中心点を同じくした直径約９０ｍｍ深さ３０ｍｍの第２凹凸部である本体上方端面凹凸部雌ネジ（６ａ）、底面の柱状体誘導路（３ａ）を囲む形で略中心点を同じくした直径約１００ｍｍ深さ３０ｍｍの第３凹部である本体下方端面凹凸部雌ネジ（７ａ）である雌ネジが設けられており、共通第１凹凸部（５ａ）にはラインスポーツ用支持台座本体部（１）に複数のラインスポーツ用ライン（２９）等を取り付ける為の接続具（３６）の他、支持台座本体部（１）の上部に高さや幅を拡張する為の柱状体誘導路延長部材（１３）、本体底面（７ｂ）に設けられた共通第１凹凸部（５ａ）には本体用クッションシート（１０）、本体の重量及び設置面積を拡張する板状基盤である柱状体錘台座固定用具（２３）等、様々な用具が雄ネジ（５）によって取り付け可能となっている。なお直列に配列された共通第１凹凸部雌ネジ（５ａ）である雌ネジの中心点と雌ネジの中心点の間隔は、各接続部材や部材の取り付けを考慮し５０ｍｍとするが、この間隔は形成工程等により変更もあり得る。なお共通第１凹凸部雌ネジ（５ａ）は雌ネジであり、共通第１凹凸部（５）は雄ネジである。また、上記凹凸部雌ネジ（５ａ、６ａ，７ａ）の直径も形成工程等により変更もあり得る。なお、支持台座本体部（１）の形状も様々な形状が考えられ、本体上方端面凹凸部雌ネジ（６ａ）の横に共通第１凹凸部（５ａ）を設けることも考えられる。なお、これらの凹凸部のサイズは一例であって望ましいサイズで区別表記している。
【００３３】
図６（ａ）に示すように、支持台座本体部（１）に、直径７６ｍｍバレーボールポール（３１）を使用し埋設金具（２６）に固定した図。柱状体（３１）のゆらぎや抜けを防ぐ為に支持台座本体部（１）に設けられた第１凹部雌ネジ（５ａ）に差し込まれ第１凸部雄ネジ（５）で柱状体と本体を一体化すると同時、固定ベルト（２２）等の連結具により、支持台座本体部（１）と柱状体（３１）が一体化されることにより、重量も一体化され、支持台座本体部（１）が競技場面（２８）を抑えつける静止摩擦力が増加し、該台座（１）が安定する効果と同時に、左右に回転するズレも抑えられ、柱状体（３１）に取り付けられたライン支持部延長部材（１７）、そして該固定部に取り付けられたライン（２９、２９ａ、２９ｂ、２９ｃ、２９ｄ）も安定する。
【００３４】
図６（ａ）に示すように、台座最上部（６ｂ）の直径約７９ｍｍの柱状体誘導路上端部（ｂ）を囲むように、直径約９０ｍｍ、深さ約３０ｍｍの第２凹部となる本体上方端面凹凸部雌ネジ（６ａ）が設けられている。よって必然的に、本体上方端面凹凸部雌ネジ開口受け口（６ｂ）の水平部が本体最上部（６ｂ）となる。柱状体誘導路の外周である柱状体誘導路形成部材の直径は約９ｃｍ以上となるが、３００ｋｇ以上の荷重のかかるスラックラインのライン固定具の機能を併せ持ったラインスポーツ用支持台座用具の柱状体誘導路形成部材（３）であるとすれば、直径は本体上方端面凹凸部雌ネジ（６ａ）９ｃｍ以上の１０ｃｍ以上が必要であり、さらに大きな荷重にも耐えられる強度を有する為に、柱状体誘導路形成部材（３）の直径は１３ｃｍ以上が望ましい。よって柱状体誘導路壁部（３ｃ）の肉厚幅は、２５ｍｍ以上となる。なお、柱状体誘導路上端部（ｂ）を囲むように、直径約９０ｍｍ、深さ約３０ｍｍの本体上方端面凹凸部雌ネジ（６ａ）である雌ネジが設けられているが、成形工程よっては雄ネジに変更もありえる。なお、これらの凹凸部のサイズは一例であって望ましいサイズで区別表記している。
【００３５】
図６（ｂ）は支持台座本体部（１）の上面図であって、支持台座本体部（１）の側面の床上最下部には、スラックライン以外のラインスポーツ用のラインを接続する接続具（３６）もしくはライン支持部延長部材（１７）を固定する共通第１凹部（５ａ）を有する平面ライン支持部（４ｃ）を設けている。この平面ライン支持部（４ｃ）が平面であることにより様々な部材を直接取り付けることが可能となる為便利である。この平面ライン支持部には共通第１凹部（５ａ）が設けられており、この雌ネジにラインスポーツ用の着脱式取っ手型ライン支持部（４ｂ）、ライン支持部材（１７、１８）やラインの接続具（３６）等が取り付け可能となっている。なお、曲面を有する部位においてはその曲面の形状に合わせたゴム等の軟体性パッキン（１９）を介して、共通第１凹部（５ａ）に接続用共通第１凸部（５）であるネジ類で取り付けることが可能である。取っ手型ライン支持部（４ｂ）は図面では角型であるが、Ｕ字型ほか多角型等、ラインを結んだり、接続具（３６）を使用して取り付け可能な金属製等の取っ手型の形状を有したものも固定型、着脱可能型も含め取っ手型ライン支持部（４ａ、４ｂ）となる。取っ手型ライン支持部略垂直に取り付けられたもの、略水平に取り付けられたものも考えられる。
【００３６】
図７（ａ）は平面ライン支持部（４ｃ）の実施形態を表わす図であって、支持台座本体部（１）の平面ライン支持部（４ｃ）、柱状体誘導路壁部（３ｃ）に５ｃｍ間隔で複数設けられている共通第１凹部（５ａ）と同間隔の５ｃｍ間隔で共通第１凹部（５ａ）が平板状に前面に上下左右に設けられており、この共通第１凹部（５ａ）には、着脱式取っ手型ライン支持部（４ａ）、や接続具（３６）、コ字型支持具（３６ａ）等がネジ（５）や固定ベルト（２２）で取り付けられ、これらの凹凸部や支持具、接続具にラインスポーツ用ラインが取り付けられるようになっている。全ての雌ネジと雌ネジの間隔は縦及び横方向に規則性を持ち雌ネジの中心を起点として５０ｍｍ間隔である。これらの凹凸部のサイズ、間隔は一例であって望ましいサイズ、間隔で区別表記している。
【００３７】
図７（ｂ）は平面ライン支持部（４ｃ）の実施形態を表わす図であって、本体基台部（２）の床上の最下部に設けた平面状の平面ライン支持部（４ｃ）に設けられた第１共通雌ネジ（５ａ）に第１共通雄ネジ（５）によりライン支持部延長部材ロング（１７ｉ）を取り付け、ここに約４０ｃｍ間隔の升目状に幅２ｃｍ、厚さ２ｍｍ前後のベルト状薄ライン（２９ｂ）が張られたスクエアブロックライン（３５ｃ）が接続、支持されている。体育館等の床面にはしご状のトレーニングラインであるラダーラインを設置した場合、両サイドをガムテープ等で張り付けないと、ラインが大きくズレてしまうが、この図のように両サイドの支柱に支えられたライン支持部延長部材（１７）に取り付けることによってズレが少なくなると同時に、今までははしごが１本置かれたような状態のラダーラインが複数横に広げて張られるようになる為、格子状のライントレーニングが誕生する。
【００３８】
図８（ａ）は、請求項５の柱状体誘導路延長部材（１３）の実施形態を表わす図であって、柱状体誘導路延長部材（１３）は強化合成樹脂もしくはアルミニウム等の軽金属あるいは鉄、ステンレス等の金属で形成されており、支持台座本体部（１）の柱状体誘導路上端部（３ｂ）に設けられた９０ｍｍの本体上方端面凹凸部雌ネジ（６ａ）に中心点を同じくして嵌合する本体上方端面凹凸部雄ネジ（約９０ｍｍ）（６）を有した、少なくとも長さ３０ｃｍ以上の柱状体誘導路延長部材（１３）で、柱状体誘導路延長部材（１３）全体部分がライン支持部（４）となりえる強度を有する。本体柱状体誘導路形成部材（３）と略同じ外周直径約１３０ｍｍであり、上面から底面に貫通して垂設される直径約７９ｍｍの第１柱状体誘導路（３ａ）は支持台座本体部（１）に取り付けられた時には支持台座本体部（１）の有する柱状体誘導路（３ａ）と中心点を同じくして嵌合し、柱状体誘導路上端部（３ｂ）、柱状体誘導路壁部（３ｃ）、柱状体誘導路下端部（３ｄ）で構成される。直径７９ｍｍ＋−２ｍｍの柱状体誘導路上端部（３ｄ）は、直径９０ｍｍ、深さ３０ｍｍの第２凹凸部である本体上方端面凹凸部雌ネジ（６ａ）と同径の第２凹部となる上端部柱状体挿入口雌ネジ（６ａ）も設けており、この柱状体誘導路延長部材（１３）の上下凹凸部を連結して、略垂直に高さを高くすることが可能である。また、柱状体誘導路延長部材（１３）両側面にはライン支持部延長部材（１７）が取り付けられるよう、幅５ｃｍごとに直径約１０ｍｍの共通第１凹凸部雌ネジ（５ａ）が反対側面を直角貫通するように設けられている。これにより使用する柱状体の全長が短く、ラインスポーツ用ラインを高い位置に取り付け出来ない場合でも、この柱状体誘導路延長部材（１３）を複数繋合することで、柱状体の全長より高い位置にラインを張ることが可能となる。長さは２０ｃｍ〜１００ｃｍ以上のものも考えられる。また柱状体誘導路（３ａ）内には約７６ｍｍ柱状体（３１）が挿入されることで、揺れや引張力に対しても柱状体（３１）と柱状体誘導路延長部材（１３）共に強度を増すことができるラインスポーツ用支持台座である。なお、上記のサイズ、間隔は一例であって望ましいサイズ、間隔で区別表記している。
【００３９】
図６に示すように、支持台座本体部（１）の正面と後方に、上端部から垂直下方２５ｍｍを中心点として直径１０ｍｍの共通第１凹部（５ａ）が設けられている。柱状体誘導路延長部材（１３）の本体上方端面凹凸部雄ネジ（６）直径約９０ｍｍ長さ３０ｍｍの先端部の正面と後方には直径約１２ｍｍの半円状の窪みである凹凸部Ａ雄ネジ半円窪み（５ｂ）が設けられており、本体上方端面凹凸部雌ネジ（６ａ）と柱状体誘導路延長部材（１３）の本体上方端面凹凸部雄ネジ（約９０ｍｍ）（６）が嵌合した時に、共通第１凹部（５ａ）が支持台座本体部（１）の正面から後方にかけて水平に貫通する雌ネジ穴ができる構造となっている。この共通第１凹部（５ａ）に共通第１凸部（５）を嵌合することにより柱状体誘導路延長部材（１３）の直径約１２ｍｍの半円状の窪みの凹凸部Ａ雄ネジ半円窪み（５ｂ）に共通第１凸部雄ネジ（５）が通ることにより柱状体誘導路延長部材（１３）の左右の回転とズレが防止される効果がある。なお他の部材の本体上方端面凹凸部雄ネジ（約９０ｍｍ）には全て凹凸部Ａ雄ネジ半円窪み（５ｂ）が設けられることが望ましい。なお、上記のサイズ、間隔は一例であって望ましいサイズ、間隔で区別表記している。
【００４０】
図８（ｂ）は、支持台座本体部（１）に柱状体誘導路延長部材（１３）２体を連結した図である。必要な高さまで連結し、差し込まれた柱状体を補強し、引張力が大きくなる高難度、上級者用ラインスポーツに対応可能のライン支持部を上方に設けることが可能となるが、現存のバレーボール（３１）やバトミントンポール（３１ｂ）等は、ポール中に様々な突起物が備わっている為、柱状体誘導路に差し込むことはできない。引張力が大きくなる上級者用ラインスポーツに対応可能のライン支持部を上方に設ける為には、図３（ａ）に標記のポール側面に凸部の無い強固な素材で形成され、ライン支持部及びライン支持部延長部材等が取り付け可能の凹部を有したラインスポーツ専用柱状体（２７）が必要になる。
【００４１】
図９（ａ）は請求項５のライン支持部延長部材の実施形態を表わす図であって、
ライン支持部延長部材（１７）は、支持台座本体部（１）のライン支持部に１〜２本程度しか取り付けられなかったラインスポーツ用ライン（２９ａ、２９ｂ、２９ｃ）をさらに複数本のラインが支持台座本体（１）以外の位置に取り付け可能とする部材であり、ライン支持部延長部材は強化合成樹脂もしくはアルミニウム等の軽金属あるいは鉄、ステンレス等の金属で立方体に形成されており、板状体、筒状体等様々な形状のライン支持部延長部材（１７）が用意される。支持台座本体部（１）の有する第１凹部である雌ネジ（５）、もしくは第共通１凹部を有する部材に嵌合する第１凸部をもつライン接続具雄ネジ（３６）で固定可能の部材であり、支持台座本体部（１）の上下左右と様々な位置にライン支持部を設ける為の部材であって、複数を連結することにより少なくとも支持台座本体部（１）の左右５ｍ以上の範囲にラインを張る、支持する、固定、結ぶことが可能となる。
【００４２】
図９（ａ）は、円柱状の柱状体誘導路形成部材（３）に平板状のライン支持部延長部材（１７）を取り付ける為の実施形態を表わす側面図であって、柱状体誘導路形成部材（３）の柱状体誘導路壁部（３ｃ）の曲面に密着する部分と平板状に合わせた平面部分にライン支持部延長部材（１７）が揺らぎなく取り付けられることを可能とするライン支持部延長部材柱状体用パッキン（１９）であって、直径約１３０ｍｍの円柱状形状に合わせた、ゴムもしくはテトラフルオロエチレン樹脂等によるパッキンなどの弾性樹脂製、炭素繊維製、セルロースナノファイバー製等の材質で作られており、３つの共通第１凹部（５ａ）が中心点に５０ｍｍ間隔で設けられており、パッキンに設けられた間隔と、支持台座本体部（１）とライン支持部延長部材（１７）に設けられた共通第１凹部（５ａ）の大きさ、間隔は全て共通である為、共通第１凹部（５ａ）に共通第１凸部（５）で固定することが可能であり、取り付け位置が円筒状であっても揺らぎが抑えられる。このパッキンは柱状体接点面以外は厚さ１〜２ｍほどのアルミ、鉄等の金属製パッキンゴムカバー（１９ｂ）に囲まれている。他、直径約７６ｍｍの円柱状形状に合わせた７６ｍｍライン支持部延長部材柱状体用パッキン（１９ａ）も考えられる。なお、上記のサイズ、間隔は一例であって望ましいサイズ、間隔で区別表記している。また、ライン支持部延長部材柱状体用パッキン（１９）は、固定ネジで固定する図となっているが、あくまでも一例でもあり、固定ネジ以外にも、固定ベルトや締めつけ具、他柱状体部分にストッパー等を設けライン支持部延長部材柱状体用パッキン（１９）及び７６ｍｍライン支持部延長部材柱状体用パッキン（１９ａ）を固定する方法もある。形状も同様、一例である。
【００４３】
図９（ａ）は平板型であるライン支持部延長部材の実施形態を表わす図であって、ライン支持部延長部材（１７）の大きさ、形状は様々であり、厚さは約１〜５ｃｍ、縦約４ｃｍ〜２５ｃｍ、横約３０ｃｍ〜１０ｍと様々で、約５ｃｍの角柱型、円形型、半円型も考えられる。この前面に縦に直径約１ｃｍの雌ネジ穴である第一共通凹部雌ネジ（５ａ）がネジ穴の中心を基準として縦は５ｃｍ間隔、横方向にはネジ穴の中心を基準として５ｃｍ間隔で設けている。この図面の平板型ライン支持部延長部材（１７）の厚さは、約１ｃｍ縦約１３ｃｍ、横約３０ｃｍである。他にも、サイズを大きくし、ネジ穴も縦横ともに５ｃｍ間隔もしくは１０ｃｍ間隔の雌ネジ穴が設けられた平板型ライン支持部延長部材もトレーニング内容により必要となる。
【００４４】
図９（ｂ）は、第２凹凸部に嵌め込み可能の嵌入式平板型ライン支持部延長部材（１７ａ）の実施形態を表わす図であって、嵌入式平板型ライン支持部延長部材（１７ａ）の中心には、凸型の直径約９０ｍｍ、約長さ３０ｍｍの嵌入式平板型ライン支持部延長部材雄ネジ（１７ｂ）が設けられており、中心は約７９ｍｍの貫通した開口部（１７ｃ）が設けられている。この雄ネジ（１７ｂ）が、本体上方端面凹凸部雌ネジ（６ａ）に装着可能となり、重量や負荷のかかる手摺状体（３４）等でも、ラインスポーツ用支持台座本体部（１）で支えられるようになり、固定することが可能となる。幅は約１５ｃｍもしくは約２２ｃｍ前後で長さは約５０ｃｍから約２００ｃｍ以上とサイズは様々で制限はない。なお、直径約７６ｍｍの柱状体（３１）に嵌入式平板型ライン支持部延長部材（１７ａ）を差し込み、ベルト状の接続具等（２２）で接続、固定機能もしくは滑り止め機能のある器具で、嵌入式平板型ライン支持部延長部材（１７ａ）を固定することも考えられる。
【００４５】
図９（ｂ）の９０ｍｍ雌ネジ付き嵌入式平板型ライン支持部延長部材（１７ｄ）も表しており、９０ｍｍ雌ネジ付き嵌入式平板型ライン支持部延長部材（１７ｄ）は嵌入式平板型ライン支持部延長部材（１７ａ）の開口部上部に直径１３０ｍｍの筒状体で中心に９０ｍｍ雌ネジ（１６ｂ）を設けたことで、９０ｍｍ雌ネジ付き嵌入式平板型ライン支持部延長部材（１７ｄ）上部にも様々な後述部材が接続可能の構造となる。開口部は垂直下の９０ｍｍ雄ネジ（１７ｂ）に向け貫通しており、この貫通口は約７９ｍｍである。この上部から埋設金具（２６）に向けて７６ｍｍポール（３１）が差し込まれ、支持台座本体部（１）が埋設金具（２６）に連結される。長さは４０ｃｍから５ｍ以上等様々なサイズを揃えることが考えられる。なお、重量物や競技者の体重も支えられる強度が必要な為、厚さ２０ｍｍ前後のアルミニウム等の軽金属類がふさわしい。両端は図１０（ａ）のライン支持部延長部材用脚（１８ａ）とライン支持部延長部材脚用土台（１８ｂ）が用いることによってさらに重量物の支持が可能となる。
【００４６】
図１０（ａ）は請求項５のライン支持部延長部材の様々な種類を表わす図であって、平板状のライン支持部延長部材（１７）の他、あくまでも一例であるが厚さ２ｃｍ幅約１２ｃｍ長さ約２００ｃｍの平板状で略直線のライン支持部延長部材が中心部付近で水平に４５度、９０度と曲（直角定規のように）がった水平多度角平板型ライン支持部延長部材（１７ｅ）、同じく厚さ２ｃｍ幅約１２ｃｍ長さ約２００ｃｍの平板状のライン支持部延長部材が中心部付近で上面を境に４５度、９０度と曲がった水平多度角平板型ライン支持部延長部材（１７ｅ）のように角度が途中で変化したライン支持部延長部材、そして、支持台座本体部もしくは柱状体誘導路延長部材の上方に設けられた第２凹部に嵌合する第２凸部を有し、上部には少なくともスラックラインの幅以上の横幅５０ｍｍ、深さ５ｍｍ以上の溝を有した１３０ｍｍライン支持部延長部材柱状誘導路体先端用（１７ｇ）、第１共通凸部を下方に有する７６ｍｍライン支持部延長部材柱状体先端用（１７ｈ）等の柱状体先端部に略垂直上方に取り付けるライン支持部延長部材等、様々な形状で、共通第１凹部（５ａ）を有する位置や部材に、共通サイズの雄ネジ（５）や接続具（３６）等を使用することで、様々な位置にラインを取り付ける、あるいは支持となる部材である。これら様々な形状のライン支持部延長部材の組み合わせを行い、ライン支持部延長部材の有する共通第１凹部（５ａ）同士を接続具（３６）等により繋ぎ合せることで、ライン支持部延長部材（１７）等の繋合可能範囲内でラインスポーツ用ライン（２９ｄ）を固定する為の必要な高さ、必要な位置にライン支持部延長部材の有する一箇所以上のライン支持部（４ｂ）等と一箇所以上の共通第１凹部（５ａ）を配置可能となる。また、様々な形状、角度変化を有したライン支持部延長部材（１７ｅ、１７ｆ）等の組み合わせを行い、前記ライン支持部延長部材の有する第一共通凹部雌ネジ（５ａ）同士を接続具により繋ぎ合せることで、前記ライン支持部延長部材（１７）等の繋合可能範囲内でラインスポーツ用ライン（２９ａ）等を固定する為の必要な高さ、必要な位置に前記ライン支持部延長部材の有する一箇所以上のライン支持部（４ｂ）と一箇所以上の第一共通凹部雌ネジ（５ａ）を着脱可能となる。なお、上記の形状は一例であって、リング状の円形など様々な形状のライン支持部延長部材など、この図に限ったものではない。
【００４７】
図１０（ｂ）は各種の支持具を含む接続具（３６）の実施形態を表わす図であって、ラインスポーツ用ライン（２９ｄ）やアルミポール等の手摺状体（３４）の固定は、着脱式取っ手型ライン支持部（４ｂ）の他、Ｕ字型やリング型の接続具（３６）ほか、手摺状体（３４）等の支持具として、コ字型支持具（３６ａ）、Ｌ字型支持具（３６ｂ）、Ｖ字型支持具（３６ｃ）、固定ベルト（２２）等角度や使用形態にあわせて様々接続具や完全固定ではない状態が保てる支持具等が共通凹部（５ａ）を有する部位に取り付け可能となっている。なお接続具は様々な種類が考えられこの図はあくまでも一例でありここに限ったものではない。
【００４８】
図１０（ｃ）に示すように、ラインスポーツ用ライン（２９ｄ）やアルミポール等の手摺状体（３４）の固定は、着脱式取っ手型ライン支持部（４ｂ）の他、Ｕ字型やリング型の接続具（３６）が用いられるほか、手摺状体（３４）等の支持接続具として、コ字型支持具（３６ａ）、Ｌ字型支持具（３６ｂ）、Ｖ字型支持具（３６ｃ）、固定ベルト（２２）等、使用形態にあわせて、固定、据え置き、引掛ける等様々な状態が保てる支持具が用意されている。例えば、リンボーダンスや棒高跳びのポールのように完全固定ではない使用方法もラインスポーツには存在する。
【００４９】
図１１（ｃ）はライン支持部延長部材本体用パッキン（１９）の実施形態を表わす図でもあって、支持台座本体（１）を含め、台座上部から柱状体誘導路延長部材（１３）側面に設けられた共通第１凹部（５ａ）の適所に、ライン支持部延長部材本体用パッキン（１９）を介して、１ｍ、２ｍ、３ｍ、５ｍと長さのあるライン支持部延長部材ロング（１７ｉ）を取り付けることで、支持台座本体（１）に横方向に２本ほどしか取り付けることが出来なかったライスポーツ用ライン（２９ａ）を、横に伸ばしたライン支持部延長部材ロング（１７ｉ）に取り付けられた接続具に２本以上の複数のラインや格子状となった網目のライン等が取り付けられることが可能となるほか、このライン支持部延長部材ロング（１７ｉ）の両端や中間部分にライン支持部延長部材用支持脚（１８ａ）を設けることで、重量のあるポール等も複数載せることが可能となり、ライン支持部延長部材ロング（１７ｉ）に設けられた接続具（３６）によってライン（２９ａ、２９ｂ、２９ｃ、２９ｄ）を支持し、そして高さも自由に変えられながら、これらを使用したトレーニングが可能となる。
【００５０】
図１１（ｃ）はライン支持部延長部材用支持脚（１８）の実施形態を表わす図であって、ライン支持部延長部材用支持脚（１８）は、アルミニウム、鉄等の金属類またはカーボンファイバー、強化合成樹脂等の材質で形成された柱状体の脚であり、ライン支持部延長部材（１７）等の上面、底面又は側面に設けられた共通第１凹部（５ａ）に嵌合する共通第１凸部（５）を上面に有し、着脱可能のライン支持部延長部材用支持脚（１８）であり、ライン支持部延長部材ロング（１７ｉ）の両端および固定具との中間点に、共通第１凹部（５ａ）を垂直直下方向に複数設け、その雌ネジ穴に嵌合する共通第１凸部（５）を有したライン支持部延長部材用支持脚（１８ａ）を取り付けることが可能で、ライン支持部延長部材ロング（１７ｉ）に、接続具（３６）や各支持具（３６ａ）を使用し複数のラインスポーツ用低引張力ライン（２９ａ）や手摺状体（３４）が張られても、一箇所以上複数のライン支持部延長部材用支持脚（１８ａ）に支えられることで、左右、上下、斜めに伸びたライン支持部延長部材ロング（１７ｉ）も安定する。このライン支持部延長部材用支持脚（１８ａ）の長さは様々なサイズが用意され、一例であるが約１０ｃｍから約１００ｃｍ等用意される。金属製で太さは２０ｍｍ以上を有し、両端には共通第１凸部（５）と共通第１凹部（５ａ）がそれぞれ設けられており、延長ライン支持部延長部材用支持脚（１８ａ）を複数つなぎ合わすことが可能で、高さも高くすることが可能であるが、高さの調整範囲が限られてしまう。この脚は、直径の異なる２本の柱状体を太いポールの中に細いポールを入れて、固定具で延長収縮できるのぼり旗のポールのように、長さが自由に調整できる振り出し式ライン支持部延長部材用支持脚（１８ｃ）も望ましい。またこれらの脚の競技場面（２８）には安定する台座となるよう脚の底面より接地面の大きいライン支持部延長部材用支持脚用土台（１８ｂ）を取り付け、床を保護する為にクッションが設けられる。このクッションは吸盤のように床面と密着、固定できるものも考えられる。ライン支持部延長部材用支持脚（１８ａ）により、支えられた部材が競技者の体重以上の負荷に耐えられることが可能になる。
【００５１】
図１２（ａ）は請求項７の本体下部板状台座部材（２１）の実施形態を表わす図であって、本体下部板状台座部材（２１）は、支持台座本体部（１）の重量及び安定性を増す為に台座下部に取り付けられる本体下部板状台座部材（２１）であり、台座下部に設けられた直径約１００ｍｍ深さ約３０ｍｍの第３凹部である本体下方端面凹凸部雌ネジ（７ａ）に嵌合する第３凸部となる本体下方端面凹凸部雄ネジ（７）を有し、支持台座本体部（１）と一体となる鉄等の金属類で板状形成された台座型の錘である本体下部板状台座部材（２１）。本体下部板状台座部材（２１）も支持台座本体部（１）に取り付けられた時に、支持台座本体部（１）の有する柱状体誘導路と同一の幅を有する柱状体誘導路が直結するように設けられており、同一の柱状体（３１）で埋設金具（２６）に連結される。大きさは約幅４０ｃｍ、長さは約６０ｃｍ、厚さは約４ｃｍ。この本体下部板状台座部材（２１）は、上部の重量増加と共に接地面積を広げることで、競技場面への荷重を分散する機能も有する。この本体下部板状台座部材（２１）の底部にも本体下方端面凹凸部雄ネジ（７）と同サイズの本体下部板状台座部材雌ネジ（２１ａ）があることでさらに７６ｍｍ本体下端部筒状凸部材（２０）類又は本体下部板状台座部材（２１）を取り付けられる。下部には錘クッションシート（１０ｂ）が備えられる。本体下部板状台座部材（２１）にも、ライン支持部用共通第１凹部（５ａ）を有し、着脱式取っ手型ライン支持部（４ｂ）、接続具（３６）を取り付けることが可能である。また本体下方端面凹凸部雌ネジ（７ａ）に嵌合する本体下方端面凹凸部雄ネジ（７）は、固定する為にラインスポーツ用支持台座本体部（１）の重量物を持ちあげたり、回したりする労力が必要となり、危険性も考えられる。この部分はネジ山を設けない嵌めこみ式とし、ラインスポーツ用支持台座本体部（１）の台座となるラインスポーツ用支持台座本体基台部（２）から垂直下方に設けられた貫通口ネジ穴と本体下部板状台座部材（２１）に新たに設けられた垂直下方に向けられた雌ネジ穴とで本体後部錘用雄ネジ（２２ａ）をラインスポーツ用支持台座本体基台部（２）から差し込み本体下部板状台座部材（２１）に固定し一体化する方法も考えられる。なお、本体下方端面凹凸部雌ネジ（７ａ）は側面からみて凹凸部のあるネジ型ではなく、ネジ山の無い略平面に近い凹凸部もしくは鉄やすりのようにかみ合う面が粗くなった金属製の面を有する凹凸部も考えられる。
【００５２】
図１２（ｂ）は請求項７の本体下部板状台座部材（２１）の実施形態を表わした図である。支持台座本体部（１）と本体下部板状台座部材（２１）に設けられた第１共通凹部（５ａ）に共通凸部雄ネジ（５）もしくは強固型延長共通凸部雄ネジである強固型の延長ボルト（３２ａ）で固定することにより、台座重さが本体の重さと一体となる利点がある。支持台座本体部（１）と本体下部板状台座部材（２１）の第３凹凸部が粗面等の嵌合でネジ止め固定しない場合は特に必要となる。
【００５３】
図１３（ａ）はラインスポーツの実施形態を表わす図であって、パラレルライン（３５ｂ）トレーニングの図。支持台座本体部（１）の高さ３０ほどに取り付けられたライン支持部延長部材ロング（１７ｉ）に張られた複数の伸縮性のある柔らかいラインスポーツ用低引張力ライン（２９ａ）を張っている。これにより、様々なステップや足上げなどのラインダンストレーニングが行える。高さは柱状体誘導路延長部材（１３）を使用することで自由に設定できるため、子供から高齢者まで、競技者のレベルに合わせて上下できる、この支持台座本体部（１）と柱状体錘台座固定用具本体部（２３）と交換用柱状体金具挿入先端部（２４）類、そして、柱状体誘導路延長部材（１３）、そして接続具（３６）によってライン支持部延長部材ロング（１７ｉ）に張られたラインスポーツ用低引張力ライン（２９ａ）によって競技可能となる、今までにない新しいスポーツである。また、幼児や高齢者は伸縮性のある柔らかいゴム状のラインスポーツ用低引張力ライン（２９ａ）であっても、身体を引っかけて転倒する危険もある為、目にも障害の無い光線（音線含む）（２９ｃ）もしくは網膜保護ゴーグル等を使用し、ラインスポーツ用光線（２９ｃ）（センサーや音線含む）の位置や身体の動きに伴い音階を持つ音等を発する器具を、ライン支持部となる様々な高さや部位に装着することにより、転倒防止の安全性と娯楽性を高めたスポーツゲームおよび新たなスポーツトレーニング法にすることも可能である。
【００５４】
図１３（ｂ）はラインスポーツの実施形態を表わす図であって、スクエアブロックライン（３５ｃ）トレーニングの図。支持台座本体部（１）の最下部に設けた平面ライン支持部（４ｃ）にライン支持部延長部材ロング（１７ｉ）を取り付け、ここに約４０ｃｍ間隔の升目状に幅２ｃｍ、厚さ２ｍｍ前後のベルト状薄ライン（２９ｂ）が張られたスクエアブロックライン（３５ｃ）トレーニング。支持台座本体部（１）を埋設金具（２６）に柱状体（３１）により設置し、平面ライン支持部（４ｃ）にライン支持部延長部材ロング（１７ｉ）をライン支持部延長部材用支持脚用土台（１８ｂ）で支持。このライン支持部延長部材ロング（１７ｉ）に張られた約４０ｃｍ間隔の格子状に幅２ｃｍ、厚さ２ｍｍ前後のナイロン等で形成されたラインスポーツ用ベルト状薄ライン（２９ｂ）によって、はしご状のラダートレーニングのように直線のみの動きではなく、競技場面に張られた格子状のラインの中を、前後、左右、斜めと様々な方向にステップを踏むなどの競技が可能となる、今までにない新しいスポーツである。
【００５５】
図１４（ａ）はラインスポーツの実施形態を表わす図であって、ウェーブライン（３５）の図。埋設金具（２６）にラインスポーツ専用柱状体（２５）でラインスポーツ用支持台座本体部（１）を固定し、柱状体誘導路延長部材（１３）で高さを上げ、その柱状体誘導路延長部材（１３）にライン支持部延長部材ロング（１７ｉ）を取り付けた図と、それを利用したラインスポーツのウェーブライン（３５）トレーニング。本体の高さ３０ほどに取り付けられたライン支持部延長部材ロング（１７ｉ）に張られた複数の伸縮性のある柔らかいゴム等の素材によるラインスポーツ用低引張力ライン（２９ａ）または光線（音線、センサー含む）（２９ｃ）と、柱状体錘台座固定用具本体部（２３）上部に取り付けられた、軽量の柱状体誘導路延長部材（１３）の９０ｃｍほどの高さに取り付けられたライン支持部延長部材ロング（１７ｉ）に、下部に張られ該ラインスポーツ用低引張力ライン（２９ａ）と交互になるように、同間隔にラインスポーツ用低引張力ライン（２９ａ）が張られている。下側に張られたラインはジャンプし、上側に張られたラインはスクワットをしながら、交互に連続して行いながらラインを通っていく、ウェーブライン（３５）。高さは自由に設定できるため、子供から高齢者まで、競技者のレベルに合わせて上下できる、このラインスポーツ用柱状体固定具（１）とラインスポーツ専用柱状体（２５）、そして、柱状体誘導路延長部材（１３）、ライン支持部延長部材ロング（１７ｉ）や、角度調整ネジ（１８ｄ）とライン支持部延長部材用支持脚（１８ｃ）で支えられるようになるラインの高さや位置を変えられる水平４５度角平板型ライン支持部延長部材（１７ｅ）、上下４５度角平板型ライン支持部延長部材（１７ｆ）に張られたラインスポーツ用低引張力ライン（２９ａ）等のスラックライン用ライン（２９ｄ）類、また合成樹脂やアルミ、カーボン製のポール状の手摺状体（３４）によって競技可能となる、今までにない新しいラインスポーツである。
【００５６】
図１４（ｂ）に示すように、埋設金具（２６）に、支持台座本体部（１）を柱状体（３１）もしくはラインスポーツ専用柱状体（２５）で連結し、その上部に柱状体誘導路延長部材（１３）を継合。柱状体誘導路延長部材（１３）の第２凹部誘導路延長部材上方端面凹凸部雌ネジ（１３ａ）に嵌入式平板型ライン支持部延長部材（１７ａ）の嵌入式平板型ライン支持部延長部材雄ネジ（１７ｂ）にて装着。平板型ライン支持部延長部材（１７ａ）上に２ｍのライン支持部延長部材（１７ｉ）を雄ネジ（５）にて固定。ライン支持部延長部材（１８）の両サイドもライン支持部延長部材用脚（１８ａ）で支えることにより、競技者の体重以上の荷重に抗力を有する。これを競技場面両サイドの埋設金具（２６）に設置し、ラインスポーツ用支持台座本体部（１）の最大応力ライン支持部（４）にスラックライン（２９）を支持、固定。スラックライン（２９）は２つの高さ調整台（３０）にて３０ｃｍ〜４０ｃｍ前後にラインの高さが保たれる。支持、張られたスラックライン（２９）と並行する形状で、柱状体誘導路延長部材（１３）の上部に装着された２ｍのライン支持部延長部材（１７ｆ）の適所に１本もしくは２本以上の３５ｍｍ手摺状体（３４）を接続具（３６）で固定。対となったラインスポーツ用支持台座本体部（１）の間隔はおよそ１０ｍ以上となる為、３５ｍｍ手摺状体（３４）も３５ｍｍパイプ用Ｔ字型接続具（３６ｆ）で複数本を接続、延長し、同時にライン支持部延長部材用脚（１８ａ）でも競技場面より支持することで、安定度と強度を保つ。３５ｍｍ手摺状体（３４）の高さは、柱状体誘導路延長部材（１３）のサイズにより調整。もしくは嵌入式平板型ライン支持部延長部材（１７ａ）を使用せず、ライン支持部延長部材（１７ｉ）をライン支持部延長部材本体用パッキン（１９）を介して柱状体誘導路延長部材（１３）に取り付け、ライン支持部延長部材（１７ｉ）の四方に設けられている第１共通雌ネジ（５ａ）にライン支持部延長部材用脚（１８ａ）を取り付け支持し、上方に３５ｍｍ手摺状体（３４）をポール接続具（３６ｄ）により固定する方法もある。２本の３５ｍｍ手摺状体（３４）の間隔は、ライン支持部延長部材（１７ｉ）に設けられた雌ネジ穴（５ａ）の適所に設置することで希望する間隔に設定可能となる。設置位置は使用者の身長によって異なるが、スラックラインに立って両手を斜め下約４５度に開いた状態で、両サイドに固定された２本の３５ｍｍ手摺状体（３４）が掴める位置に固定されているのが望ましい。この２本の手摺状体（３４）により、スラックライン初心者でも、バランスを崩し転落することを防止可能となる、現存しない転落防止法であり、今までにない新しいスラックライン技術の習得方法である。また、嵌入式平板型ライン支持部延長部材（１７ａ）の代わりに９０ｍｍ雌ネジ付き嵌入式平板型ライン支持部延長部材（１７ｄ）を使用すれば、さらにその上部に前記柱状体誘導路延長部材（１３）が装着可能となり、前記平板型ライン支持部延長部材（１７）等さらに装着し、３５ｍｍ手摺状体（３４）や前記低引張力ライン（２９ａ）など様々なラインが装着できる。ただし安全性のため、スラックライン下部の床面には体操用等の安全マットが必要である。なお、図のように本体下部板状台座部材（２１）も使用し、ラインスポーツ用支持台座本体部（１）の安定性を向上するのが望ましい。
【００５７】
図１５（ａ）はラインスポーツの実施形態を表わす図であって、ラインスポーツ用支持台座本体部（１）、ラインスポーツ専用柱状体（２５）を使用しスラックラインを張った図。ラインスポーツ用支持台座本体部（１）を２か所の埋設金具（２６）の上に配置し、柱状体誘導路（３ａ）の上端から屋内バレーボール７６ｍｍ柱状体（３１）を差し込み使用した場合、柱状体（３１）は埋設金具（２６）のポール差し込み穴の底まで挿入され、ラインスポーツ用支持台座本体部（１）を競技場面（２８）に固定している。屋外用のバレーボールポールは、「つば」（３１ｄ）と呼ばれる突起が付属している為、ラインスポーツ用支持台座本体部（１、１ａ，１ｃ）類ではつばが邪魔をしてポールを本体上部から差し込むことが出来ない為、スライド縦分割式ラインスポーツ用支持台座本体部（１ｂ）が使用されることとなる。スラックライン（２９）は先端を２つのラインスポーツ用支持台座本体部（１ｂ）の最大応力ライン支持部（４）に接続、支持され、跳び箱等の高さ調節具（３０）により高さ調整される。これを競技場両サイドの埋設金具（２６）に対となるように設置、スラックライン（２９）を張ることとが可能となる、
【００５８】
図１５（ａ）はラインスポーツの一つモンキーライントレーニングの実施形態を表わす図であって、スラックライン（２９）上に立ち、その真上で頭上、手を伸ばして届く高さに、伸縮性のないラインスポーツ用ベルト状薄ライン（２９ｂ）を接続具（３６）で張り、スラックライン（２９）と別のもう一本のラインスポーツ用ベルト状薄ライン（２９ｂ）を持ちながら、ゆっくりバランスを取りながらスラックライン（２９）上を歩く、モンキーライントレーニングを行う事が可能となる。バランスが取れるようになると手を離しスラックラインスポーツを行うことによって、スラックライン技術習得が安全に、早くなる今までにないトレーニングでもある。ただしこれらを設置する場合は、安全性のため、スラックライン下部の床面には体操用等の安全マットが必要である。
【００５９】
図１５（ｂ）は、ラインスポーツ競技場面両サイドのライン固定専用埋設金具（２７）に対として設置したラインスポーツ用支持台座。引張力が１０００ｋｇを越える、宙返り等の高難度のスラックライン技術にも、強固なモルタル等の埋設金具基礎（２７ｉ）に固定されたスラックライン（２９）専用のライン固定専用埋設金具（２７）が必要になってくる。ライン固定専用埋設金具（２７）を使用し、スラックラインを固定することにより、バレーボール等の埋設金具（２６）の破損や、柱状体誘導路延長部材（１３）で補強されたバレーボールやテニスポール等の既存スポーツ用の７６ｍｍ柱状体（３１）、ラインスポーツ専用柱状体（２５）の曲がりや抜けも発生しなくなり、支持台座本体部（１）も安定する。柱状体誘導路延長部材（１３）の先端部には１３０ｍｍライン支持部延長部材柱状誘導路体先端用（１７ｇ）が取り付けられスラックラインを支持している。体育館や遊技場を含む競技場面（２８）でも高度なスラックライン競技ができるようになる安全で強固なライン固定専用埋設金具（２７）を使用したラインスポーツ用支持台座である。
【００６０】
図１６（ａ）は中空室ラインスポーツ用支持台座本体部（１ｃ）の側面図であり、ラインスポーツ用支持台座本体部（１）は、鋼製、FRP等のプラスチック製、コンクリート製、或はこれらの材料の併用によって製造される。また基台部（２）は１つまたは複数の中空室（１１）を持つように成型加工すると、使用時に蓋付注入口（１２）より、中空室（１１）、中空室ライン（１１ａ）を通じて充填するように水や砂、鉄砂等を注入、充填して使用し、使用後は充填物を取り除くことができ、運搬や取り扱いに便利となる。なお、床面に設置する台座の面積は、１２０平方メートル以上、重量は３０ｋｇ以上、柱状体誘導路（３ａ）は２５ｃｍ以上、高さは３０ｃｍ以上である。なお、中空室（１１）を設けられた中空室ラインスポーツ用支持台座本体部（１ｃ）は、中空室（１１）に水もしくは砂等を詰めた状態での重量である。
【００６１】
図１６（ａ）は柱状体錘台座固定用具本体の実施形態を表わす図であって、柱状体錘台座固定用具本体部（２３）は、柱状体錘上部突出ライン支持部（２３ｂ）（以下、上部突出ライン支持部と記す）、柱状体錘誘導路挿入部（２３ｃ）、柱状体錘先端金具挿入部（２３ｄ）で構成され、上部突出ライン支持部（２３ｂ）の直径は、支持台座本体（１）上部の直径と同径の１３０ｍｍであり、また最上部には直径９０ｍｍ、深さ３０ｍｍの本体の本体上方端面凹凸部雌ネジ（６ａ）と同径の柱状体錘部上端部９０ｍｍ雌ネジ（２３ｅ）を備え、垂直下に向けられた該柱状体錘部上端部９０ｍｍ雌ネジ（２３ｅ）の底部の中心には垂直下に向けられた幅１０ｍｍ、深さ５０ｍｍの柱状体錘上端部雌ネジ内雌ネジ（２３ｆ）も有する。側面には直径約１０ｍｍのライン支持部用凹凸部雌ネジ（５ａ）が水平方向に逆の側面まで貫通している。側面にはライン支持部用凹凸部雌ネジ（５ａ）が雌ネジ穴の中心を起点に５０ｍｍ間隔で設けられている。最上部の雌ネジは、支持台座本体（１）、柱状体誘導路延長部材（１３）もおなじく、柱状体錘部上端部９０ｍｍ雌ネジ（２３ｅ）の深さ３０ｍｍの最深部をライン支持部用凹凸部雌ネジ（５ａ）の中心起点とする。このことにより、起点となる最上部ライン支持部用凹凸部雌ネジ（５ａ）に差し込まれた雄ネジが、柱状体錘部上端部９０ｍｍ雌ネジ（２３ｅ）に固定された部材類の回転を抑える効果がある。このライン支持部用凹凸部雌ネジ（５ａ）が上部突出ライン支持部（２３ｂ）の側面に３穴もしくは４穴設けられている。また、取っ手型ライン支持部（４ａ）も２つ設けられている。上部突出ライン支持部（２３ｂ）の長さは約２００ｍｍの円柱状体である。この直下に直径約９０ｍｍ長さ３０ｍｍの柱状体錘台座固定用雄ネジ（２３ｉ）が設けられており、柱状体錘台座固定用雄ネジ（２３ｉ）直下より直径７６ｍｍ長さ約２６０ｍｍの柱状体錘誘導路挿入部（２３ｃ）となり、直径約７６ｍｍ、長さ約２８０ｍｍの柱状体錘先端金具挿入部（２３ｄ）の全長約７７０ｍｍの柱状体錘台座固定用具本体部（２３）の柱状体錘先端金具挿入部（２３ｄ）先端には厚さ約１０ｍｍの柱状体クッションシート（１０ａ）がネジで取り付けられており、柱状体クッションシート（１０ａ）と、基準としている直径７９ｍｍ、深さ３００ｍｍの柱状体差し込み穴を有する埋設金具（２６）の差し込み穴底部とには、わずかな空間が生じることのできる構造の柱状体錘台座固定用具本体部（２３）を有したラインスポーツ用支持台座である。なお、柱状体錘台座固定用具本体部（２３）の全長は支持台座本体部（１）の長さの変更と共に変更となる場合もある。
【００６２】
図１６（ａ）は分割式柱状体錘台座固定用具本体部（２３ａ）の実施形態を表わす側面図であって、前記柱状体錘台座固定用具本体部（２３）は、上部突出ライン支持部（２３ｂ）、柱状体錘誘導路挿入部（２３ｃ）、柱状体錘先端金具挿入部（２３ｄ）で構成されているが、分割式柱状体錘台座固定用具本体部（２３ａ）は、柱状体錘先端金具挿入部（２３ｄ）が交換用柱状体金具挿入先端部（２４）となり、分割式柱状体錘台座固定用具本体部（２３ａ）に雌ネジ。交換用柱状体金具挿入先端部（２４）には雄ネジを互いに設けることにより、柱状体錘先端金具挿入部（２３ｄ）が着脱、交換可能な構造構成となり、前記上部突出ライン支持部（２３ｂ）と柱状体錘誘導路挿入部（２３ｃ）の部位が分割式柱状体錘台座固定用具本体部（２３ａ）となり、柱状体錘誘導路挿入部（２３ｃ）の下方端面に交換用柱状体金具挿入先端部用下端雌ネジ（２３ｉ）を有し、柱状体錘先端金具挿入部（２３ｄ）は上方端部に嵌合する雄ネジである交換用柱状体金具挿入先端部上端雄ネジ（２４ｄ）を有する交換用柱状体金具挿入先端部（２４）となる。この交換用柱状体金具挿入先端部（２４）が７６ｍｍ埋設金具（２６）に挿入され、支持台座本体部（１）が７６ｍｍ埋設金具（２６）に連結される。交換用柱状体金具挿入先端部（２４）の先端部には厚さ約１０ｍｍの柱状体クッションシート（１０ａ）がネジで取り付けられている。なお、７６ｍｍ埋設金具（２６）の深さは２５ｃｍ、３０ｃｍ、５０ｃｍと様々なサイズが存在する。また、厚さ約１０ｍｍの柱状体クッションシート（１０ａ）が取り付けられた交換用柱状体金具挿入先端部（２４）は埋設金具（２６）に挿入された状態で、埋設金具（２６）の差し込み穴底部との間には、約１０ｍｍ以上の空間が常に保てるよう、埋設金具（２６）のサイズ、深さに合わせた交換用柱状体金具挿入先端部（２４）が備えられる。直径約７９ｍｍ、深さ２５ｃｍの差し込み穴を有する埋設金具（２６）に対しては、直径１３０ｍｍ長さ５０ｍｍの調整具で下部には直径９０ｍｍ長さ３０ｍｍの雄ねじ、上端部には深さ３０ｍｍの上端部９０ｍｍ雌ネジ柱状体錘用調整具（２３ｊ）を、支持台座本体部（１）と分割式柱状体錘台座固定用具本体部（２３ａ）の間に装着することにより、分割式柱状体錘台座固定用具本体部（２３ａ）を上に５０ｍｍ上げることにより、差し込み穴が深さ２５である全ての埋設金具に連結、挿入対応可能となる。なお、交換用柱状体金具挿入先端部（２４）はラインスポーツ専用柱状体（２５）にも供用で使用可能である。
【００６３】
図１７（ａ）は隙間埋め筒状体の実施形態を表わす図であって、競技用のバレーボールやテニスのポール（３１）は、国際規格（サイズ６５Ａ）では外径が約７６ｍｍとされており、これに合わせて埋設金具の口径は約７９ｍｍ（＋−２ｍｍ）となっている。従って、本発明になるラインスポーツ用支持台座本体部（１）における台座本体（１）の柱状体の挿入路である柱状体誘導路（３ａ）の内径はこれを参考にして約７９ｍｍ（＋−２ｍｍ）と設定すればよい。しかし、簡易初心者用のバレーボールポールやバトミントン等では、ポール径５０ｍｍ（３１ａ）、ポール径４０ｍｍが（３１ｂ）適用されている場合もある。ポールが細くなると、柱状体誘導路（３ａ）内径が約７９ｍｍ（＋−２ｍｍ）のままであると、ポールとの間に大きな隙間が生じ、ラインにかかる荷重を受けてポールが揺れることになり、安定な競技ができないとかポールや柱状体誘導路などの部品を傷つける原因となり、好ましくない。これを防ぐ手段としては、柱状体誘導路（３ａ）の適所に１乃至数か所に共通第１凸部（５）を設けてしっかりねじで固定する方法が提案される。また、隙間に相応する厚みと口径を持った、金属製、他テフロン（登録商標）パッキンなどの樹脂製、炭素繊維製、セルロースナノファイバー製の適材により形成された柱状体誘導路内隙間埋め筒状体（１４，１４ａ）である、５０ｍｍ誘導路内隙間埋め筒状体（１４）もしくは４０ｍｍ誘導路内隙間埋め筒状体（１４ａ）を挿入して、隙間を埋めることにより、柱状体誘導路内隙間埋め筒状体（１４，１４ａ）の柱状体誘導路（３ａ）に５０ｍｍ柱状体（３１ａ）もしくは４０ｍｍ柱状体（３１ｂ）を挿入、５０ｍｍ埋設金具（２６ａ）、４０ｍｍ埋設金具（２６ｂ）に連結、支持することが可能となる。これらの提案によれば、様々なポール径に合わせて、密接可能な柱状体誘導路及びポール挿入路を備えた留め具を個々に用意することに比べて、共通の留め具を使用する利便性、経済性のメリットがある。また誘導路内隙間埋め筒状体上部には誘導路内隙間埋め筒状体上部は直径１３０ｍｍとし、その中心に９０ｍｍ深さ２０ｍｍの誘導路内隙間埋め筒状体上部９０ｍｍ雌ネジ（１４ｃ）を設けることにより、様々な部材が装着可能となる。また、誘導路内隙間埋め筒状体上部９０ｍｍ雌ネジ（１４ｃ）直下に、誘導路内隙間埋め筒状体９０ｍｍ雄ネジ（１４ｂ）を設けることにより、本体上方端面凹凸部雌ネジ（６ａ）に嵌合し、ゆるぎなく固定することが可能となるである。５０ｍｍ誘導路内隙間埋め筒状体（１４）および４０ｍｍ誘導路内隙間埋め筒状体（１４ａ）にも、１個以上のライン支持部用共通第１凹部（５ａ）を有し、着脱式取っ手型ライン支持部（４ｂ）、接続具（３６）を取り付けることが可能であるである。
【００６４】
図１７（ｂ）は本体下端部凸部材の実施形態を表わす図であって、本体下方端面凹凸部雌ネジ（７ａ）に嵌合する本体下方端面凹凸部雄ネジ（７）を有した７６ｍｍ本体下端部凸部材（２０）がとりつけられるようになっている。この該凸部材（２０）は、７６ｍｍ埋設金具（２６）と柱状体誘導路（３ａ）から差し込まれた柱状体（３１）のわずかな隙間にこの先端が入り込むように作られており、この本体に取り付けられた、本体下端部凸部材（２０）の先端部（２０ｅ）が埋設金具（２６）に入り込むみ、埋設金具に固定されることにより、本体にかかる横から引かれる力、いわゆる引張力にたいして静止摩擦の力に加え、凸部が杭止めの効果を果たすことにより、台座のズレ、移動を防ぐ効果がある。取付けは先端部（２０ｅ）上の六角ボルト（２０ｄ）を使用する。床金具のサイズに合わせ、７９ｍｍ床金具（２６）には７６ｍｍ本体下端部凸部材（２０）の他に、５３ｍｍ床金具（２６ａ）には５０ｍｍ本体下端部凸部材（２０ａ）、４３ｍｍ床金具（２６ｂ）には、４０ｍｍ本体下端部凸部材（２０ｂ）、また凸部材先端部（２０ｅ）の長さを１００ｍｍ、肉厚を１３ｍｍの７６ｍｍ強化本体下端部凸部材（２０ｃ）も考えられる。
【００６５】
図１８（ａ）は、今後上級競技者が競技するスラックラインスポーツにおいて１０００ｋｇ以上の引張力に対する抗力が必要となる場合、競技場面に設置が必要となるライン固定用埋設金具（２７）の図である。このライン固定金具（２７ｄ）は競技場面に略水平に凹凸なく設置される床に埋設される固定金具で、床面の蓋枠は一例であるが縦横約幅２０ｍｍ前後で、長さ３００ｍｍ以上のライン固定用埋設金具杭（２７ａ）、抜けを防止する為のかえし（２７ｂ）、床面を略凹凸なく多い使用時には収納可能の金具蓋（２７ｃ）、床設置平面部（２７ｄ）、金具蓋収納部（２７ｅ）、金具ライン固定部（２７ｆ）、金具杭固定部（２７ｇ）、金具取り付け雌ネジ（２７ｈ）で構成され、競技場面下にコンクリート等による埋設金具基礎（２７ｉ）で固定される。かえし（２７ｂ）を有する長さ３０ｃｍ以上の錆に強く耐久性のある鋼鉄類で形成されたライン固定用埋設金具杭（２７ａ）は、スラックライン（２９）のように１０００ｋｇを越える引張力に対して抗力を備える。また、ライン固定用埋設金具杭（２７ａ）の固定角度は、固定されたスラックライン（２９）に対して直角となるような角度で固定されることが望ましいが、施工の工法等により差し込み角度は変化する。また、金具蓋（２７ｃ）、床設置平面部（２７ｄ）、金具蓋収納部（２７ｅ）、金具ライン固定部（２７ｆ）、金具杭固定部（２７ｇ）も錆に強く耐久性のある鋼鉄類で形成されている。金具蓋（２７ｃ）は使用時には金具蓋収納部（２７ｅ）に収納され、金具ライン固定部（２７ｆ）、金具杭固定部（２７ｇ）は剛性と共に金具ライン支持部（２７ｆ）を起点に可動性を有する。
【００６６】
図１８（ｂ）はライン固定金具（２７ｄ）をコンクリート基礎で固定した図である。
【産業上の利用可能性】
【００６７】
バレーボール、テニス等のポールと、そのポール差し込み用の埋設金具は共に、ネジ山、溝等と同じく、国際規格で製造されている場合が多い。各国のポール直径も７６.３mm。差し込み用の埋設金具の口径も約７９ｍｍ前後とほぼ共通である。ただし、深さは２５ｃｍ〜５０ｃｍ等と異なる場合が多い。その為、この発明のラインスポーツ用支持台座は、各国で使用されている、バレーボール、テニス等のポールと、埋設金具にもサイズが適合することで、世界共通で使用可能となる。また、子供から高齢者もバランストレーニングが可能であり、高齢者に多く起こる転倒による骨折により、歩行困難者を減少する効果と高齢者が家に引きこもる問題を解消すると同時ににぎわいを生み出す効果もある。
【符号の説明】
【００６８】
１    ラインスポーツ用支持台座本体部
１ａ  多形型ラインスポーツ用支持台座本体部
１ｂ  スライド縦分割式ラインスポーツ用支持台座本体部
１ｃ  中空室ラインスポーツ用支持台座本体部    
１ｄ  嵌入式ラインスポーツ用支持台座本体部
２    ラインスポーツ用支持台座本体基台部
２ａ  多形型ラインスポーツ用支持台座本体部基台部
２ｂ  スライド縦分割式ラインスポーツ用支持台座本体部基台部
２ｃ  中空室ラインスポーツ用支持台座本体部基台部  
２ｄ  嵌入式ラインスポーツ用支持台座本体部基台部
３    柱状体誘導路形成部材
３ａ  柱状体誘導路
３ｂ  柱状体誘導路上端部
３ｃ  柱状体誘導路壁部
３ｄ  柱状体誘導路下端部
３ｅ  変形円柱状体誘導路
３ｆ  多角柱状体誘導路
３ｇ  面取り柱状体誘導路
４    最大応力ライン支持部
４ａ  取っ手型ライン支持部
４ｂ  着脱式ライン支持部
４ｃ  平面ライン支持部
５    共通第１凹凸部  雄ネジ
５ａ  共通第１凹凸部  雌ネジ
５ｂ  共通第１凹凸部雄ネジ半円窪み
６    第２凸部  本体上方端面凹凸部雄ネジ（約９０ｍｍ）
６ａ  第２凹部  本体上方端面凹凸部雌ネジ
６ｂ  本体上方端面凹凸部雌ネジ開口受け口＝本体最上部
７    第３凸部  本体下方端面凹凸部雄ネジ（約１００ｍｍ）
７ａ  第３凹部  本体下方端面凹凸部雌ネジ
７ｂ  本体下方端面凹凸部雌ネジ開口受け口＝本体最下部
８    分割式支持台座本体受け部  
８ａ  分割式柱状体誘導路受け部上端
８ｂ  分割式柱状体誘導路受け部壁部
８ｃ  分割式柱状体誘導路受け部下端
８ｄ  分割式柱状体誘導路受け部側台座
８ｅ  分割式上端部柱状体９０ｍｍ挿入口受け部側凹溝
８ｆ  分割式下端部柱状体１００ｍｍ貫通口受け部側凹溝
８ｇ  分割式上端部柱状体９０ｍｍ挿入口受け部側
８ｈ  分割式下端部柱状体１００ｍｍ貫通口受け部側
９    分割式支持台座本体抑え部
９ａ  分割式柱状体誘導路抑え部上端
９ｂ  分割式柱状体誘導路抑え部壁部
９ｃ  分割式柱状体誘導路抑え部下端
９ｄ  分割式柱状体誘導路抑え部側台座
９ｅ  分割式上端部柱状体９０ｍｍ挿入口抑え部側凹溝
９ｆ  分割式上端部柱状体１００ｍｍ貫通口抑え部側凹溝
９ｇ  分割式上端部柱状体９０ｍｍ挿入口抑え部側
９ｈ  分割式上端部柱状体１００ｍｍ貫通口抑え部側
１０    本体用クッションシート
１０ａ  柱状体クッションシート
１０ｂ  錘クッションシート
１１    中空室
１１ａ  中空室ライン
１２    蓋付注入口
１３    柱状体誘導路延長部材（１３０ｍｍ）
１３ａ  第２凹部誘導路延長部材上方端面凹凸部雌ネジ
１３ｂ  第２凸部（誘導路延長部材下方端面凹凸部雄ネジ）
１４    ５０ｍｍ誘導路内隙間埋め筒状体
１４ａ  ４０ｍｍ誘導路内隙間埋め筒状体
１４ｂ  誘導路内隙間埋め筒状体９０ｍｍ雄ネジ
１４ｃ  誘導路内隙間埋め筒状体上部９０ｍｍ雌ネジ
１５    ７６ｍｍ嵌入式柱状体誘導路形成部材
１５ａ  ５０ｍｍ嵌入式柱状体誘導路形成部材
１５ｂ  ４０ｍｍ嵌入式柱状体誘導路形成部材
１６    嵌入式柱状体誘導路形成部材雄ネジ
１６ａ  嵌入式柱状体誘導路形成部材雌ネジ  
１６ｂ  上端部嵌入式柱状体挿入口雄ネジ（約９０ｍｍ）
１７    ライン支持部延長部材
１７ａ  嵌入式平板型ライン支持部延長部材
１７ｂ  嵌入式平板型ライン支持部延長部材雄ネジ
１７ｃ  嵌入式平板型ライン支持部延長部材開口部
１７ｄ  ９０ｍｍ雌ネジ付き嵌入式平板型ライン支持部延長部材
１７ｅ  水平多度角平板型ライン支持部延長部材
１７ｆ  上下多度角平板型ライン支持部延長部材
１７ｇ  １３０ｍｍライン支持部延長部材柱状誘導路体先端用
１７ｈ  ７６ｍｍライン支持部延長部材柱状体先端用
１７ｉ  ライン支持部延長部材ロング
１７ｋ  ライン支持部延長部材中間支持用
１７ｌ  ライン支持部延長部材固定部３穴
１８    ライン支持部延長部材用支持脚
１８ａ  延長ライン支持部延長部材用支持脚
１８ｂ  ライン支持部延長部材用支持脚用土台
１８ｃ  振り出し式ライン支持部延長部材用脚
１９    ライン支持部延長部材本体用パッキン１３０ｍｍ
１９ａ  ライン支持部延長部材柱状体用パッキン７６ｍｍ
１９ｂ  金属製パッキンゴムカバー
１９ｃ  軟体製パッキン
２０    本体下端部環状凸部材
２０ａ  ５０ｍｍ本体下端部環状凸部材
２０ｂ  ４０ｍｍ本体下端部環状凸部材
２０ｃ  ７６ｍｍ強化本体下端部環状凸部材
２０ｄ  本体下端部環状凸部材本体部
２０ｅ  環状凸部材下方凸部
２０ｆ  環状凸部材上方凸部
２１    本体下部板状台座部材
２１ａ  本体下部板状台座部材第３凸部
２２    固定ベルト
２３    柱状体錘台座固定用具
２４    交換用柱状体金具挿入先端部
２４ａ  ７６ｍｍ交換用柱状体金具挿入先端部
２４ｂ  ５０ｍｍ交換用柱状体金具挿入先端部
２４ｃ  ４０ｍｍ交換用柱状体金具挿入先端部
２４ｄ  交換用柱状体金具挿入先端部上端雄ネジ    
２５    ラインスポーツ専用柱状体
２５ａ  金具挿入先端部アダプター用下端雌ネジ
２６    ７６ｍｍ埋設金具（ベース）
２６ａ  ５０ｍｍ埋設金具
２６ｂ  ４０ｍｍ埋設金具
２７    ライン固定用埋設金具
２７ａ  金具杭
２７ｂ  かえし
２７ｃ  金具蓋
２７ｄ  床設置平面部
２７ｅ  金具蓋収納部
２７ｆ  金具ライン固定部
２７ｇ  金具杭固定部
２７ｈ  金具取り付け雌ネジ
２７ｉ  埋設金具基礎
２８    競技場面
２９    スラックライン用ライン  
２９ａ  ラインスポーツ用低引張力ライン
２９ｂ  ラインスポーツ用ベルト状薄ライン
２９ｃ  ラインスポーツ用光線（音線、センサー含む）
２９ｄ  ラインスポーツ用棒状ライン
３０    高さ調整台
３１    ７６ｍｍ柱状体
３１ａ  ５０ｍｍ柱状体
３１ｂ  ４０ｍｍ柱状体
３１ｃ  屋外用つば付き７６ｍｍ柱状体
３１ｄ  つば
３１ｅ  テニス用ポール
３１ｆ  ７６ｍｍラインスポーツ専用柱状体
３２    ５０ｍｍボルト
３２ａ  １７０ｍｍボルト
３２ｂ  六角ナット
３３    体育館床下柱状体
３３ａ  体育館床下地面
３４    ３５ｍｍ手摺状体
３５    ラインスポーツ用ライン使用ウェーブライン
３５ａ  ラインスポーツ用ライン使用ハイタッチラインライン
３５ｂ  ラインスポーツ用ライン使用パラレルライン
３５ｃ  ラインスポーツ用ライン使用スクエアブロックライン
３６    ライン接続具
３６ａ  コ字型接続具
３６ｂ  Ｌ字型支接続具
３６ｃ  Ｖ字型支接続具
３６ｄ  ポール接続具Ａ
３６ｅ  ポール接続具Ｂ
３６ｆ  ３５ｍｍパイプ用Ｔ字型接続具
３６ｇ  角度調整接続具
【図１】
2020178796.tif 000003
【図２】
2020178796.tif 000004
【図３】
2020178796.tif 000005
【図４】
2020178796.tif 000006
【図５】
2020178796.tif 000007
【図６】
2020178796.tif 000008
【図７】
2020178796.tif 000009
【図８】
2020178796.tif 000010
【図９】
2020178796.tif 000011
【図１０】
2020178796.tif 000012
【図１１】
2020178796.tif 000013
【図１２】
2020178796.tif 000014
【図１３】
2020178796.tif 000015
【図１４】
2020178796.tif 000016
【図１５】
2020178796.tif 000017
【図１６】
2020178796.tif 000018
【図１７】
2020178796.tif 000019
【図１８】
2020178796.tif 000020